(57)【要約】      （修正有）【課題】  冷暖フリー型マルチ式空気調和装置のほとんど又は全部の室内機が暖房されている場合において、快適性を損なうことなく室外熱交換器に堆積した霜を除去することができるようにする。【解決手段】  空気調和装置６の冷媒回路６０の高圧ガス開閉弁ＳＶ１ｄを開けた状態にして、かつ低圧ガス開閉弁ＳＶ２ｄを閉止することで蓄熱材に温熱を蓄積する。そして室内機６７ａ，６７ｂ，６７ｃが暖房されている場合で、高圧ガス開閉弁ＳＶ１ｄを閉じた状態にして、かつ低圧ガス開閉弁ＳＶ２ｄを開けた状態にすると蓄熱材の温熱を用いることで室外熱交換器６１２が凝縮負荷として作動し、室内機６７ａ，６７ｂ，６７ｃを暖房状態に維持したままで、室外熱交換器６１２に堆積した霜を除去することができる。【選択図】図１
2005337659.tif 000002
【特許請求の範囲】
【請求項１】
圧縮機（６１１，７１１）と、
前記圧縮機の吐出側と連通する高圧ガス側冷媒主管（６９３，７９３）と、
前記圧縮機の吸入側と連通する低圧ガス側冷媒主管（６９２，７９２）と、
液側冷媒主管（６９１，７９１）と、
室内熱交換器（６７１ａ，６７１ｂ，６７１ｃ，７７１ａ，７７１ｂ，７７１ｃ）と、
室外熱交換器（６１２，７１２）と、
蓄熱材と熱交換を行う蓄熱用熱交換器（６４１，７４１）と、
前記液側冷媒主管に流れる冷媒が前記室内熱交換器において蒸発された後に前記低圧ガス側冷媒主管に流入する第１状態と、前記高圧ガス側冷媒主管に流れる冷媒が前記室内熱交換器において凝縮された後に前記液側冷媒主管に流入する第２状態とを切換可能である第１切換機構（ＳＶ１ａ，ＳＶ１ｂ，ＳＶ１ｃ，ＳＶ２ａ，ＳＶ２ｂ，ＳＶ２ｃ）と、
前記液側冷媒主管に流れる冷媒が前記蓄熱用熱交換器において蒸発された後に前記低圧ガス側冷媒主管に流入する第３状態と、前記高圧ガス側冷媒主管に流れる冷媒が前記蓄熱用熱交換器において凝縮された後に前記液側冷媒主管に流入する第４状態とを切換可能である第２切換機構（ＳＶ１ｄ，ＳＶ２ｄ）と、
を有する冷媒回路（６０，７０）を備える、空気調和装置（６，７）。
【請求項２】
前記蓄熱材は、蓄熱用水であり、
前記蓄熱用水は、前記第２切換機構が第４状態にある場合において、冷熱を蓄積する、
請求項１に記載の空気調和装置。
【請求項３】
前記第２切換機構は、前記蓄熱用水に冷熱が蓄積されている状態において、前記高圧ガス側冷媒主管に流れる冷媒が前記蓄熱用熱交換器を介して前記室内熱交換器に流入する第１氷蓄熱利用冷房状態に切り換えることが可能である、
請求項２に記載の空気調和装置。
【請求項４】
前記冷媒回路は、前記蓄熱用水に冷熱が蓄積されている状態において、前記液側冷媒主管に流れる冷媒が前記蓄熱用熱交換器を介して前記室内熱交換器に流入する第２氷蓄熱利用冷房状態に切り換えるための第４切換機構（７４３，ＯＣ３，ＯＣ４）をさらに有し、
前記第２切換機構は、前記第２氷蓄熱利用冷房状態において、前記液側冷媒主管に流れる冷媒を前記高圧ガス側冷媒主管および前記低圧ガス側冷媒主管に流入させないようにする、
請求項２に記載の空気調和装置。
【請求項５】
圧縮機（６１１，７１１）と、
前記圧縮機の吐出側と連通する高圧ガス側冷媒主管（６９３，７９３）と、
前記圧縮機の吸入側と連通する低圧ガス側冷媒主管（６９２，７９２）と、
液側冷媒主管（６９１，７９１）と、
室内熱交換器（６７１ａ，６７１ｂ，６７１ｃ，７７１ａ，７７１ｂ，７７１ｃ）と、
室外熱交換器（６１２，７１２）と、
前記高圧ガス側冷媒主管、前記低圧ガス側冷媒主管、液側冷媒主管、および前記室内熱交換器に接続可能であり、前記液側冷媒主管に流れる冷媒が前記室内熱交換器において蒸発された後に前記低圧ガス側冷媒主管に流入する第１状態と、前記高圧ガス側冷媒主管に流れる冷媒が前記室内熱交換器において凝縮された後に前記液側冷媒主管に流入する第２状態とを切換可能である切換ユニット（６９ａ，６９ｂ，６９ｃ，７９ａ，７９ｂ，７９ｃ）と、
を有する冷媒回路（６０，７０）に対して挿入可能な蓄熱ユニットであって、
前記切換ユニットと接続可能であり、蓄熱材と熱交換を行う蓄熱用熱交換器（６４１，７４１）と、
前記蓄熱用熱交換器と前記液側冷媒主管とを接続するための接続用配管に設けられる膨張機構（ＥＶ２）と、
を備え、
前記蓄熱用熱交換器は、前記切換ユニットと接続された状態において、前記液側冷媒主管に流れる冷媒を蒸発させた後に前記低圧ガス側冷媒主管に流入させる第３状態と、前記高圧ガス側冷媒主管に流れる冷媒を凝縮させた後に前記液側冷媒主管に流入させる第４状態とに切り換えられることが可能である、
蓄熱ユニット（６４，７４）。
【発明の詳細な説明】
【技術分野】
【０００１】
本発明は、冬季などにおいて気温が氷点下となるような寒冷地向けの空気調和装置に関する。
【背景技術】
【０００２】
従来、１台の室外機に対して複数の室内機を備えるマルチ式空気調和装置があり、その中には、ある室内機は冷房運転を行いつつ他の室内機は暖房運転を行うことができるという、いわゆる冷暖フリー型マルチ式空気調和装置がある（例えば、特許文献１参照）。
【特許文献１】特開平５−１８６２号公報
【発明の開示】
【発明が解決しようとする課題】
【０００３】
ところで、このような冷暖フリー型マルチ式空気調和装置を、冬季などにおいて気温が氷点下となるような寒冷地に設置してほとんど又は全ての室内機を暖房運転させる場合（つまり、室外機の室外熱交換器に蒸発負荷がかかる場合）、室外機の室外熱交換器に霜が堆積し、室外熱交換器の熱交換率が徐々に悪化していくおそれがある。このような事態に陥った場合、通常は室外熱交換器が凝縮負荷になるように空気調和装置を制御して霜の除去が行われるが、空気調和装置をそのように制御すると、いくつかの室内機が冷房サイクルにならざるを得なくなるため、その室内機に対応する空調空間では快適性が損なわれることとなる（なお、このような場合、通常、室内機では、空調空間を積極的に冷房しないように室内ファンが停止される）。
【０００４】
本発明の課題は、冷暖フリー型マルチ式空気調和装置のほとんど又は全部の室内機が暖房されている場合において、空調空間の快適性を損なうことなく室外熱交換器に堆積した霜を除去することができるようにすることである。
【課題を解決するための手段】
【０００５】
第１発明に係る空気調和装置は、冷媒回路を備える。冷媒回路は、圧縮機、高圧ガス側冷媒主管、低圧ガス側冷媒主管、液側冷媒主管、室内熱交換器、室外熱交換器、蓄熱用熱交換器、第１切換機構、および第２切換機構を有する。高圧ガス側冷媒主管は、圧縮機の吐出側と連通する。低圧ガス側冷媒主管は、圧縮機の吸入側と連通する。蓄熱用熱交換器は、蓄熱材と熱交換を行う。第１切換機構は、第１状態と第２状態とを切換可能である。なお、第１状態では、液側冷媒主管に流れる冷媒が室内熱交換器において蒸発された後に低圧ガス側冷媒主管に流入する。また、第２状態では、高圧ガス側冷媒主管に流れる冷媒が室内熱交換器において凝縮された後に液側冷媒主管に流入する。第２切換機構は、第３状態と第４状態とを切換可能である。第３状態では、液側冷媒主管に流れる冷媒が蓄熱用熱交換器において蒸発された後に低圧ガス側冷媒主管に流入する。第４状態では、高圧ガス側冷媒主管に流れる冷媒が蓄熱用熱交換器において凝縮された後に液側冷媒主管に流入する。
【０００６】
この空気調和装置では、第２切換機構を第４状態にすることによって蓄熱材に温熱を蓄積することができる。そして、この空気調和装置では、ほとんど又は全部の第１切換機構が第２状態（暖房状態）にある場合において、第２切換機構が第３状態にされ且つそのときに蓄熱用熱交換器が蓄熱材に蓄積された温熱を利用して室外熱交換器を凝縮負荷にする程度まで液側冷媒主管に流れる液冷媒を蒸発させることができれば、第１切換機構を第２状態（暖房状態）に維持したままで、室外熱交換器に堆積した霜を除去することができる。このため、この空気調和装置では、空調空間の快適性を損なうことなく室外熱交換器に堆積した霜を除去することができる。
【０００７】
第２発明に係る空気調和装置は、第１発明に係る空気調和装置であって、蓄熱材は、蓄熱用水である。また、蓄熱用水は、第２切換機構が第４状態にある場合において、冷熱を蓄積する。
この空気調和装置では、蓄熱用水が、第２切換機構が第４状態にある場合において、冷熱を蓄積する。このため、この空気調和装置では、氷蓄熱運転を行うことができる。したがって、この空気調和装置では、室外熱交換器が凝縮負荷となるような場合に、電力ピークを調節することができる。
【０００８】
第３発明に係る空気調和装置は、第２発明に係る空気調和装置であって、第２切換機構は、蓄熱用水に冷熱が蓄積されている状態において、第１氷蓄熱利用冷房状態に切り換えることが可能である。なお、第１氷蓄熱利用冷房状態では、高圧ガス側冷媒主管に流れる冷媒が蓄熱用熱交換器を介して室内熱交換器に流入する。
この空気調和措置では、第２切換機構が、蓄熱用水に冷熱が蓄積されている状態において、第１氷蓄熱利用冷房状態に切り換えることが可能である。このため、この空気調和装置では、室外熱交換器が凝縮負荷となるような場合に、いわゆる電力ピークカット運転を行うことができる。
【０００９】
第４発明に係る空気調和装置は、第２発明に係る空気調和装置であって、冷媒回路は、第４切換機構をさらに有する。第４切換機構は、蓄熱用水に冷熱が蓄積されている状態において、第２氷蓄熱利用冷房状態に切り換えるための切換機構である。なお、第２氷蓄熱利用冷房状態では、液側冷媒主管に流れる冷媒が蓄熱用熱交換器を介して室内熱交換器に流入する。また、第２切換機構は、第２氷蓄熱利用冷房状態において、液側冷媒主管に流れる冷媒を高圧ガス側冷媒主管および低圧ガス側冷媒主管に流入させないようにする。
【００１０】
この空気調和装置では、冷媒回路が第４切換機構をさらに有し、第２切換機構が第２氷蓄熱利用冷房状態において液側冷媒主管に流れる冷媒を高圧ガス側冷媒主管および低圧ガス側冷媒主管に流入させないようにする。このため、この空気調和装置では、室外熱交換器が凝縮負荷となるような場合に、いわゆる電力ピークシフト運転を行うことができる。
第５発明に係る蓄熱ユニットは、圧縮機、高圧ガス側冷媒主管、低圧ガス側冷媒主管、液側冷媒主管、室内熱交換器、室外熱交換器、および切換ユニットを有する冷媒回路に対して挿入可能な蓄熱ユニットであって、蓄熱用熱交換器および膨張機構を備える。高圧ガス側冷媒主管は、圧縮機の吐出側と連通する。低圧ガス側冷媒主管は、圧縮機の吸入側と連通する。切換ユニットは、高圧ガス側冷媒主管、低圧ガス側冷媒主管、液側冷媒主管、および室内熱交換器に接続可能である。また、この切換ユニットは、第１状態と第２状態とを切換可能である。第１状態では、液側冷媒主管に流れる冷媒が室内熱交換器において蒸発された後に低圧ガス側冷媒主管に流入する。第２状態では、高圧ガス側冷媒主管に流れる冷媒が室内熱交換器において凝縮された後に液側冷媒主管に流入する。蓄熱用熱交換器は、切換ユニットと接続可能である。また、この蓄熱用熱交換器は、蓄熱材と熱交換を行う。膨張機構は、接続用配管に設けられる。なお、接続用配管とは、蓄熱用熱交換器と液側冷媒主管とを接続するための配管である。そして、蓄熱用熱交換器は、切換ユニットと接続された状態において、第３状態と第４状態とに切り換えられることが可能である。第３状態では、液側冷媒主管に流れる冷媒を蒸発させた後に低圧ガス側冷媒主管に流入させる。第４状態では、高圧ガス側冷媒主管に流れる冷媒を凝縮させた後に前記液側冷媒主管に流入させる。
【００１１】
この蓄熱ユニットでは、蓄熱用熱交換器が切換ユニットと接続可能である。このため、この蓄熱ユニットは、いわゆる冷暖フリー型マルチ式空気調和装置などに容易に挿入することができる。
そして、この蓄熱ユニットがそのような空気調和装置に挿入された状態において、蓄熱用熱交換器が第４状態に切り換えられると、蓄熱材に温熱を蓄積する。そして、空気調和装置のほとんど又は全部の第１切換機構が第２状態（暖房状態）にある場合に、蓄熱用熱交換器が第３状態に切り換えられ且つそのときに蓄熱用熱交換器が蓄熱材に蓄積された温熱を利用して室外熱交換器を凝縮負荷にする程度まで液側冷媒主管に流れる液冷媒を蒸発させると、第１切換機構を第２状態（暖房状態）に維持したままで、室外熱交換器に堆積した霜を除去することができる。したがって、この蓄熱ユニットは、いわゆる冷暖フリー型マルチ式空気調和装置などの空気調和装置に対して、空調空間の快適性を損なうことなく室外熱交換器に堆積した霜を除去する機能を付与することができる。
【発明の効果】
【００１２】
第１発明に係る空気調和装置では、ほとんど又は全部の第１切換機構が第２状態（暖房状態）にある場合において、第２切換機構が第３状態にされ且つそのときに蓄熱用熱交換器が蓄熱材に蓄積された温熱を利用して室外熱交換器を凝縮負荷にする程度まで液側冷媒主管に流れる液冷媒を蒸発させることができれば、第１切換機構を第２状態（暖房状態）に維持したままで、室外熱交換器に堆積した霜を除去することができる。このため、この空気調和装置では、空調空間の快適性を損なうことなく室外熱交換器に堆積した霜を除去することができる。
【００１３】
第２発明に係る空気調和装置では、氷蓄熱運転を行うことができる。したがって、この空気調和装置では、室外熱交換器が凝縮負荷となるような場合に、電力ピークを調節することができる。
第３発明に係る空気調和装置では、室外熱交換器が凝縮負荷となるような場合に、いわゆる電力ピークカット運転を行うことができる。
【００１４】
第４発明に係る空気調和装置では、室外熱交換器が凝縮負荷となるような場合に、いわゆる電力ピークシフト運転を行うことができる。
第５発明に係る蓄熱ユニットは、いわゆる冷暖フリー型マルチ式空気調和装置などに容易に挿入することができ、空調空間の快適性を損なうことなく室外熱交換器に堆積した霜を除去する機能を付与することができる。
【発明を実施するための最良の形態】
【００１５】
＜第１実施形態＞
［空気調和装置の構成］
本発明の一実施形態にかかる空気調和装置６の概略冷媒回路６０を図１に示す。
空気調和装置６は、蒸気圧縮式の冷凍サイクル運転を行うことによって、ビル等の屋内の冷暖房に使用される装置である。また、この空気調和装置６は、室外熱交換器６１２に付着する霜を除去するためのデフロスト運転を行うことが可能な仕様になっており、冬季などにおいて気温が氷点下となるような寒冷地への設置に適する。
【００１６】
空気調和装置６は、主として、１台の室外ユニット６１と、複数（本実施形態では、３台）の室内ユニット６７ａ，６７ｂ，６７ｃと、１台の蓄熱ユニット６４と、各室内ユニット６７ａ，６７ｂ，６７ｃおよび蓄熱ユニット６４に接続される接続ユニット６９ａ，６９ｂ，６９ｃ，６９ｄと、接続ユニット６９ａ，６９ｂ，６９ｃ，６９ｄを介して室外ユニット６１と室内ユニット６７ａ，６７ｂ，６７ｃおよび蓄熱ユニット６４とを接続する冷媒連絡配管６９１，６９２，６９３とを備えており、例えば、ある空調空間については冷房運転を行いつつ他の空調空間については暖房運転を行う等のように、室内ユニット６７ａ，６７ｂ，６７ｃが設置される屋内の空調空間の要求に応じて、冷暖同時運転が可能になるように構成されている。すなわち、本実施形態の空気調和装置６の蒸気圧縮式の冷媒回路６０は、室外ユニット６１と、室内ユニット６７ａ，６７ｂ，６７ｃと、蓄熱ユニット６４と、接続ユニット６９ａ，６９ｂ，６９ｃ，６９ｄと、冷媒連絡配管６９１，６９２，６９３とが接続されることによって構成されている。
【００１７】
（１）室内ユニット
室内ユニット６７ａ，６７ｂ，６７ｃは、ビル等の屋内の天井に埋め込みや吊り下げ等、または、屋内の壁面に壁掛け等により設置されている。室内ユニット６７ａ，６７ｂ，６７ｃは、冷媒連絡配管６９１，６９２，６９３および接続ユニット６９ａ，６９ｂ，６９ｃを介して室外ユニット６１に接続されており、冷媒回路６０の一部を構成している。
【００１８】
次に、室内ユニット６７ａ，６７ｂ，６７ｃの構成について説明する。なお、室内ユニット６７ａと室内ユニット６７ｂ，６７ｃとは同様の構成であるため、ここでは、室内ユニット６７ａの構成のみ説明し、室内ユニット６７ｂ，６７ｃの構成については、各部の説明を省略する。
室内ユニット６７ａは、主として、冷媒回路６０の一部を構成しており、室内側冷媒回路６８ａ（室内ユニット６７ｂ，６７ｃでは、それぞれ、室内側冷媒回路６８ｂ，６８ｃ）を備えている。この室内側冷媒回路６８ａは、主として、室内側膨張弁ＥＶ１ａおよび室内熱交換器６７１ａを備えている。本実施形態において、室内側膨張弁ＥＶ１ａは、室内側冷媒回路６８ａ内を流れる冷媒の流量の調節等を行うために、室内熱交換器６７１ａの液側に接続された電動膨張弁である。本実施形態において、室内熱交換器６７１ａは、伝熱管と多数のフィンとにより構成されたクロスフィン式のフィン・アンド・チューブ型熱交換器であり、冷媒と屋内空気との熱交換を行うための機器である。本実施形態において、室内ユニット６７ａは、ユニット内に屋内空気を吸入して、熱交換した後に、供給空気として屋内に供給するための送風ファン（図示せず）を備えており、屋内空気と室内熱交換器６７１ａを流れる冷媒とを熱交換させることが可能である。
【００１９】
また、室内ユニット６７ａには、各種のセンサが設けられている。室内熱交換器６７１ａの液側には液冷媒の温度を検出する液側温度センサ（図示せず）が設けられており、室内熱交換器６７１ａのガス側にはガス冷媒の温度を検出するガス側温度センサ（図示せず）が設けられている。さらに、室内ユニット６７ａには、ユニット内に吸入される屋内空気の温度を検出するＲＡ吸入温度センサ（図示せず）が設けられている。また、室内ユニット６７ａは、室内ユニット６７ａを構成する各部の動作を制御する室内側制御部（図示せず）を備えている。そして、室内側制御部は、室内ユニット６７ａの制御を行うために設けられたマイクロコンピュータやメモリを有しており、リモコン（図示せず）との間で制御信号等のやりとりを行ったり、室外ユニット６１との間で制御信号等のやりとりを行ったりすることができるようになっている。
【００２０】
（２）蓄熱ユニット
蓄熱ユニット６４は、ビル等の屋内等に設置されている。蓄熱ユニット６４は、冷媒連絡配管６９１，６９２，６９３および接続ユニット６９ｄを介して室外ユニット６１に接続されており、冷媒回路６０の一部を構成している。
次に、蓄熱ユニット６４の構成について説明する。蓄熱ユニット６４は、主として、冷媒回路６０の一部を構成しており、蓄熱冷媒回路６５を備えている。この蓄熱冷媒回路６５は、主として、蓄熱用熱交換器６４１および蓄熱用膨張弁ＥＶ２を備えている。本実施形態において、蓄熱用膨張弁ＥＶ２は、蓄熱冷媒回路６５内を流れる冷媒の流量の調節等を行うために、蓄熱用熱交換器６４１の液側に接続された電動膨張弁である。本実施形態において、蓄熱用熱交換器６４１は、伝熱管と多数のフィンとにより構成されたクロスフィン式のフィン・アンド・チューブ型熱交換器であり、冷媒と蓄熱槽６４２に貯留されている蓄熱材（例えば、ポリエチレングリコール、トレイトール、パラフィン、酢酸ナトリウム３水和物、硫酸ナトリウム１０水和物など）との熱交換を行うための機器である。
【００２１】
また、蓄熱ユニット６４には、各種のセンサが設けられている。蓄熱用熱交換器６４１の液側には液冷媒の温度を検出する液側温度センサ（図示せず）が設けられており、蓄熱用熱交換器６４１のガス側にはガス冷媒の温度を検出するガス側温度センサ（図示せず）が設けられている。さらに、蓄熱槽６４２には、蓄熱材の温度を検出する蓄熱温度センサ（図示せず）が設けられている。また、蓄熱ユニット６４は、蓄熱ユニット６４を構成する各部の動作を制御する蓄熱制御部（図示せず）を備えている。そして、蓄熱制御部は、蓄熱ユニット６４の制御を行うために設けられたマイクロコンピュータやメモリを有しており、リモコン（図示せず）との間で制御信号等のやりとりを行ったり、室外ユニット６１との間で制御信号等のやりとりを行ったりすることができるようになっている。
【００２２】
（３）室外ユニット
室外ユニット６１は、ビル等の屋上等に設置されており、接続ユニット６９ａ，６９ｂ，６９ｃ，６９ｄおよび冷媒連絡配管６９１，６９２，６９３を介して室内ユニット６７ａ，６７ｂ，６７ｃおよび蓄熱ユニット６４に接続されており、室内ユニット６７ａ，６７ｂ，６７ｃおよび蓄熱ユニット６４の間で冷媒回路６０を構成している。
【００２３】
次に、室外ユニット６１の構成について説明する。室外ユニット６１は、主として、冷媒回路６０の一部を構成しており、室外側冷媒回路６ａを備えている。この室外側冷媒回路６ａは、主として、圧縮機６１１、四路切換弁６１３、室外熱交換器６１２、気液分離器６１４、減圧回路６０ａ、液側閉鎖弁６３１、高圧ガス側閉鎖弁６３３、および低圧ガス側閉鎖弁６３２を備えている。
【００２４】
圧縮機６１１は、本実施形態において、インバータ制御により運転容量を可変することが可能な容積式圧縮機である。本実施形態において、圧縮機６１１は、１台のみであるが、これに限定されず、室内ユニットの接続台数等に応じて、２台以上の圧縮機が並列に接続されたものであってもよい。
室外熱交換器６１２は、冷媒の蒸発器および冷媒の凝縮器として機能させることが可能な熱交換器であり、本実施形態において、空気を熱源として冷媒と熱交換するクロスフィン式のフィン・アンド・チューブ型熱交換器である。室外熱交換器６１２は、そのガス側が四路切換弁６１３に接続され、その液側が液側閉鎖弁６３１に接続されている。
【００２５】
液側閉鎖弁６３１、高圧ガス側閉鎖弁６３３、および低圧ガス側閉鎖弁６３２は、外部の機器・配管（具体的には、冷媒連絡配管６９１，６９２，６９３）との接続口に設けられた弁である。液側閉鎖弁６３１は、室外熱交換器６１２に接続されている。高圧ガス側閉鎖弁６３３は、圧縮機６１１の吐出管６２６に接続されている。低圧ガス側閉鎖弁６３２は、気液分離器６１４を介して圧縮機６１１の吸入側に接続されている。
【００２６】
減圧回路６０ａは、キャピラリーチューブ６３８を有しており、四路切換弁６１３および気液分離器６１４に接続されている。
また、室外ユニット６１には、各種のセンサが設けられている。具体的には、室外ユニット６１は、圧縮機６１１の吸入圧力を検出する吸入圧力センサ（図示せず）と、圧縮機６１１の吐出圧力を検出する吐出圧力センサ（図示せず）と、圧縮機構６１１の吐出側の冷媒の吐出温度を検出する吐出温度センサ（図示せず）とが設けられている。また、室外ユニット６１は、室外ユニット６１を構成する各部の動作を制御する室外側制御部（図示せず）を備えている。そして、室外側制御部は、室外ユニット６１の制御を行うために設けられたマイクロコンピュータやメモリを有しており、室内ユニット６７ａ，６７ｂ，６７ｃの室内側制御部との間で制御信号等のやりとりを行うことができるようになっている。
【００２７】
（４）接続ユニット
接続ユニット６９ａ，６９ｂ，６９ｃ，６９ｄは、ビル等の屋内に室内ユニット６７ａ，６７ｂ，６７ｃおよび蓄熱ユニット６４とともに設置されている。接続ユニット６９ａ，６９ｂ，６９ｃ，６９ｄは、冷媒連絡配管６９１，６９２，６９３とともに、室内ユニット６７ａ，６７ｂ，６７ｃおよび蓄熱ユニット６４と室外ユニット６１との間に介在しており、冷媒回路６０の一部を構成している。
【００２８】
次に、接続ユニット６９ａ，６９ｂ，６９ｃ，６９ｄの構成について説明する。なお、接続ユニット６９ａと接続ユニット６９ｂ，６９ｃとは同様の構成であるため、ここでは、接続ユニット６９ａの構成のみ説明し、接続ユニット６９ｂ，６９ｃの構成については、各部の説明を省略する。接続ユニット６９ｄも接続ユニット６９ａ，６９ｂ，６９ｃと同様の構成であるが、本実施形態においては接続対象６７ａ，６４が異なるため、接続ユニット６９ｄについは接続ユニット６９ａと併せて説明する。
【００２９】
接続ユニット６９ａ，６９ｄは、主として、冷媒回路６０の一部を構成しており、接続側冷媒回路６９９ａ，６９９ｄ（接続ユニット６９ｂ，６９ｃでは、それぞれ、接続側冷媒回路６９９ｂ，６９９ｃ）を備えている。この接続側冷媒回路６９９ａ，６９９ｄは、主として、液接続管６９１ａ，６９１ｄ、ガス接続管６９５ａ，６９５ｄ、高圧ガス開閉弁ＳＶ１ａ，ＳＶ１ｄ、および低圧ガス開閉弁ＳＶ２ａ，ＳＶ２ｄを有している。
【００３０】
本実施形態において、液接続管６９１ａ，６９１ｄは、液冷媒連絡配管６９１と室内側冷媒回路６８ａの室内側膨張弁ＥＶ１ａおよび蓄熱冷媒回路６５の蓄熱膨張弁ＥＶ２とを接続している。ガス接続管６９５ａ，６９５ｄは、高圧ガス冷媒連絡配管６９３に接続された高圧ガス接続管６９３ａ，６９３ｄと、低圧ガス冷媒連絡配管６９２に接続された低圧ガス接続管６９２ａ，６９２ｄと、高圧ガス接続管６９３ａ，６９３ｄと低圧ガス接続管６９２ａ，６９２ｄとを合流させる合流ガス接続管６９４ａ，６９４ｄとを有している。合流ガス接続管６９４ａ，６９４ｄは、室内側冷媒回路６８ａの室内熱交換器６７１ａのガス側および蓄熱冷媒回路６５の蓄熱用熱交換器６４１のガス側に接続されている。そして、高圧ガス開閉弁ＳＶ１ａ，ＳＶ１ｄは、本実施形態において、高圧ガス接続管６９３ａ，６９３ｄに接続されており、冷媒の流通および遮断が可能な電磁弁である。低圧ガス開閉弁ＳＶ２ａ，ＳＶ２ｄは、本実施形態において、低圧ガス接続管６９２ａ，６９２ｄに接続されており、冷媒の流通および遮断が可能な電磁弁である。これにより、接続ユニット６９ａは、室内ユニット６７ａが冷房運転を行う際には、高圧ガス開閉弁ＳＶ１ａを閉止し、かつ、低圧ガス開閉弁ＳＶ２ａを開けた状態にして、液冷媒連絡配管６９１を通じて液接続管６９１ａに流入する冷媒を室内側冷媒回路６８ａの室内側膨張弁ＥＶ１ａに送り、室内側膨張弁ＥＶ１ａで減圧され室内熱交換器６７１ａにおいて蒸発された後に、合流ガス接続管６９４ａおよび低圧ガス接続管６９２ａを通じて低圧ガス冷媒連絡配管６９２に戻すように機能することができる。また、接続ユニット６９ａは、室内ユニット６７ａが暖房運転を行う際には、低圧ガス開閉弁ＳＶ２ａを閉止し、かつ、高圧ガス開閉弁ＳＶ１ａを開けた状態にして、高圧ガス冷媒連絡配管６９３を通じて高圧ガス接続管６９３ａおよび合流ガス接続管６９４ａに流入する冷媒を室内側冷媒回路６８ａの室内熱交換器６７１ａのガス側に送り、室内熱交換器６７１ａにおいて凝縮され室内側膨張弁ＥＶ１ａで減圧された後に、液接続管６９１ａを通じて液冷媒連絡配管６９１に戻すように機能することができる。また、接続ユニット６９ｄは、蓄熱ユニット６４が温蓄熱運転（後述）を行う際には、低圧ガス開閉弁ＳＶ２ｄを閉止し、かつ、高圧ガス開閉弁ＳＶ１ｄを開けた状態にして、高圧ガス冷媒連絡配管６９３を通じて高圧ガス接続管６９３ｄおよび合流ガス接続管６９４ｄに流入する冷媒を蓄熱冷媒回路６５の蓄熱用熱交換器６４１のガス側に送り、蓄熱用熱交換器６４１において凝縮され（この際に蓄熱材に温熱が主に潜熱として蓄積される）蓄熱用膨張弁ＥＶ２で減圧された後に、液接続管６９１ｄを通じて液冷媒連絡配管６９１に戻すように機能することができる。また、接続ユニット６９ｄは、本空気調和装置６がデフロスト運転（後述）を行う際には、高圧ガス開閉弁ＳＶ１ｄを閉止し、かつ、低圧ガス開閉弁ＳＶ２ｄを開けた状態にして、液冷媒連絡配管６９１を通じて液接続管６９１ｄに流入する冷媒を蓄熱冷媒回路６５の蓄熱用膨張弁ＥＶ２に送り、蓄熱用膨張弁ＥＶ２で減圧され蓄熱用熱交換器６４１において蒸発させた後に（この際に蓄熱材から温熱が放出され、冷媒を蒸発させる）、合流ガス接続管６９４ｄおよび低圧ガス接続管６９２ｄを通じて低圧ガス冷媒連絡配管６９２に戻すように機能することができる。
【００３１】
また、接続ユニット６９ａ，６９ｄは、接続ユニット６９ａ，６９ｄを構成する各部の動作を制御する接続側制御部（図示せず）を備えている。そして、接続側制御部は、接続ユニット６９ａ，６９ｄの制御を行うために設けられたマイクロコンピュータやメモリを有しており、室内ユニット６７ａの室内側制御部および蓄熱ユニット６４の蓄熱制御部との間で制御信号等のやりとりを行うことができるようになっている。
【００３２】
以上のように、室内側冷媒回路６８ａ，６８ｂ，６８ｃ、蓄熱冷媒回路６５、室外側冷媒回路６ａ、冷媒連絡配管６９１，６９２，６９３、および接続側冷媒回路６９９ａ，６９９ｂ，６９９ｃ，６９９ｄが接続されて、空気調和装置６の冷媒回路６０が構成されている。そして、本実施形態の空気調和装置６では、例えば、室内ユニット６７ａ，６７ｂが冷房運転を行いつつ、室内ユニット６７ｃが暖房運転を行う等の、いわゆる、冷暖同時運転を行うことが可能になっている。
【００３３】
［空気調和装置の動作］
次に、本実施形態の空気調和装置６の動作について説明する。
本実施形態の空気調和装置６の運転は、蓄熱ユニット６４を利用しない蓄熱ユニット非利用運転と蓄熱ユニット６４を利用する蓄熱ユニット利用運転とに大別される。以下、蓄熱ユニット非利用運転と蓄熱ユニット利用運転とに分けて本空気調和装置６の運転について説明する。
【００３４】
（１）蓄熱ユニット非利用運転
蓄熱ユニット非利用運転は、各室内ユニット６７ａ，６７ｂ，６７ｃの空調負荷に応じて、室内ユニット６７ａ，６７ｂ，６７ｃの全て暖房運転を行う暖房運転、室内ユニット６７ａ，６７ｂ，６７ｃの全てが冷房運転を行う冷房運転、および室内ユニット６７ａ，６７ｂ，６７ｃの一部が冷房運転を行いつつ他の室内ユニットが暖房運転を行う冷暖房同時運転にさらに分けることができる。また、冷暖同時運転については、室内ユニット６７ａ，６７ｂ，６７ｃ全体の空調負荷により、室外ユニット６１の室外熱交換器６１２を蒸発器として機能させて運転している場合（蒸発運転状態）と、室外ユニット６１の室外熱交換器６１２を凝縮器として機能させて運転している場合（凝縮運転状態）とに分けることができる。なお、本空気調和装置６が蓄熱ユニット非利用運転を行う場合は、接続ユニット６９ｄの高圧ガス開閉弁ＳＶ１ｄおよび低圧ガス開閉弁ＳＶ２ｄはともに閉止された状態とされ、蓄熱ユニット６４の蓄熱用膨張弁ＥＶ２は全開状態とされる。
【００３５】
（Ａ）暖房運転
暖房運転時は、四路切換弁６１３が図１の破線で示される状態に切り換えられることによって、室外熱交換器６１２が蒸発器として機能するとともに、高圧ガス冷媒連絡配管６９３を通じて室内ユニット６７ａ，６７ｂ，６７ｃに圧縮機６１１において圧縮され吐出された高圧のガス冷媒が供給されるようになる。接続ユニット６９ａ，６９ｂ，６９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット６７ａ，６７ｂ，６７ｃの室内熱交換器６７１ａ，６７１ｂ，６７１ｃが凝縮器として機能する状態になる。室内ユニット６７ａ，６７ｂ，６７ｃにおいては、室内側膨張弁ＥＶ１ａ，Ｅｖ１ｂ，ＥＶ１ｃは、例えば、室内熱交換器６７１ａ，６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【００３６】
このような冷媒回路６０の構成において、圧縮機６１１で圧縮され吐出された高圧のガス冷媒は、高圧ガス側閉鎖弁６３３を通じて、高圧ガス冷媒連絡配管６９３に送られる。
そして、高圧ガス冷媒連絡配管６９３に送られた高圧のガス冷媒は、３つに分岐されて、各接続ユニット６９ａ，６９ｂ，６９ｃの高圧ガス接続管６９３ａ，６９３ｂ，６９３ｃに送られる。接続ユニット６９ａ，６９ｂ，６９ｃの高圧ガス接続管６９３ａ，６９３ｂ，６９３ｃに送られた高圧のガス冷媒は、高圧ガス開閉弁ＳＶ１ａ，ＳＶ１ｂ，ＳＶ１ｃおよび合流ガス接続管６９４ａ，６９４ｂ，６９４ｃを通じて、室内ユニット６７ａ，６７ｂ，６７ｃの室内熱交換器６７１ａ，６７１ｂ，６７１ｃに送られる。
【００３７】
そして、室内熱交換器６７１ａ，６７１ｂ，６７１ｃに送られた高圧のガス冷媒は、室内ユニット６７ａ，６７ｂ，６７ｃの室内熱交換器６７１ａ，６７１ｂ，６７１ｃにおいて、屋内空気と熱交換を行うことによって凝縮される。一方、屋内の空気は、加熱されて屋内に供給される。室内熱交換器６７１ａ，６７１ｂ，６７１ｃにおいて凝縮された冷媒は、室内側膨張弁ＥＶ１ａ，Ｅｖ１ｂ，ＥＶ１ｃを通過した後、接続ユニット６９ａ，６９ｂ，６９ｃの液接続管６９１ａ，６９１ｂ，６９１ｃに送られる。
【００３８】
そして、液接続管６９１ａ，６９１ｂ，６９１ｃに送られた冷媒は、液冷媒連絡配管６９１に送られて合流する。
そして、液冷媒連絡配管６９１に送られて合流した冷媒は、室外ユニット６１の液側閉鎖弁６３１を通じて、室外熱交換器６１２に送られ、室外熱交換器６１２において蒸発されて低圧のガス冷媒になる。このガス冷媒は、四路切換弁６１３および気液分離器６１４を経由して、圧縮機６１１の吸入側に戻される。このようにして、暖房運転が行われる。
【００３９】
（Ｂ）冷房運転
冷房運転時は、四路切換弁６１３が図１の実線で示される状態に切り換えられることによって、室外熱交換器６１２が凝縮器として機能するようになっている。接続ユニット６９ａ，６９ｂ，６９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット６７ａ，６７ｂ，６７ｃの室内熱交換器６７１ａ，６７１ｂ，６７１ｃが蒸発器として機能するとともに、室内ユニット６７ａ，６７ｂ，６７ｃの室内熱交換器６７１ａ，６７１ｂ，６７１ｃと室外ユニット６１の圧縮機６１１の吸入側とが低圧ガス冷媒連絡配管６９２を介して接続された状態になっている。室内ユニット６７ａ，６７ｂ，６７ｃにおいては、室内側膨張弁ＥＶ１ａ，Ｅｖ１ｂ，ＥＶ１ｃは、例えば、室内熱交換器６７１ａ，６７１ｂ，６７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。
【００４０】
このような冷媒回路６０の構成において、圧縮機６１１で圧縮され吐出された高圧のガス冷媒は、四路切換弁６１３を通じて、室外熱交換器６１２に送られる。そして、室外熱交換器６１２に送られた高圧のガス冷媒は、室外熱交換器６１２において凝縮され液冷媒となる。その液冷媒は、液側閉鎖弁６３１を通じて、液冷媒連絡配管６９１に送られる。
そして、液冷媒連絡配管６９１に送られた液冷媒は、３つに分岐されて、各接続ユニット６９ａ，６９ｂ，６９ｃの液接続管６９１ａ，６９１ｂ，６９１ｃに送られる。そして、接続ユニット６９ａ，６９ｂ，６９ｃの液接続管６９１ａ，６９１ｂ，６９１ｃに送られた冷媒は、室内ユニット６７ａ，６７ｂ，６７ｃの室内側膨張弁ＥＶ１ａ，Ｅｖ１ｂ，ＥＶ１ｃに送られる。
【００４１】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器６７１ａ，６７１ｂ，６７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット６９ａ，６９ｂ，６９ｃの合流ガス接続管６９４ａ，６９４ｂ，６９４ｃに送られる。
【００４２】
そして、合流ガス接続管６９４ａ，６９４ｂ，６９４ｃに送られた低圧のガス冷媒は、低圧ガス開閉弁ＳＶ２ａ，ＳＶ２ｂ，ＳＶ２ｃおよび低圧ガス接続管６９２ａ，６９２ｂ，６９２ｃを通じて、低圧ガス冷媒連絡配管６９２に送られて合流する。
そして、低圧ガス冷媒連絡配管６９２に送られて合流した低圧のガス冷媒は、低圧ガス側閉鎖弁６３２および気液分離器６１４を経由して、圧縮機６１１の吸入側に戻される。このようにして、冷房運転が行われる。
【００４３】
（Ｃ）冷暖同時運転（蒸発負荷）
室内ユニット６７ａ，６７ｂ，６７ｃのうち、例えば、室内ユニット６７ａを冷房運転し、かつ、室内ユニット６７ｂ，６７ｃを暖房運転する冷暖同時運転モードであって、室内ユニット６７ａ，６７ｂ，６７ｃ全体の空調負荷に応じて、室外ユニット６１の室外熱交換器６１２を蒸発器として機能させる運転（蒸発運転）について説明する。この際、上述の暖房運転モードと同様に、四路切換弁６１３が図１の破線で示される状態に切り換えられることによって、室外熱交換器６１２が蒸発器として機能するとともに、高圧ガス冷媒連絡配管６９３を通じて室内ユニット６７ｂ，６７ｃに圧縮機６１１において圧縮され吐出された高圧のガス冷媒が供給されるようになる。接続ユニット６９ａにおいては、高圧ガス開閉弁ＳＶ１ａが閉止するとともに低圧ガス開閉弁ＳＶ２ａが開くことによって、室内ユニット６７ａの室内熱交換器６７１ａを蒸発器として機能させるとともに、室内ユニット６７ａの室内熱交換器６７１ａと室外ユニット６１の圧縮機６１１の吸入側とが低圧ガス冷媒連絡配管６９２を介して接続された状態になっている。室内ユニット６７ａにおいては、室内側膨張弁ＥＶ１ａは、例えば、室内熱交換器６７１ａの過熱度（具体的には、液側温度センサで検出される冷媒温度とガス側温度センサで検出される冷媒温度との温度差）に基づいて開度調節する等、室内ユニットの冷房負荷に応じて開度調節されている。接続ユニット６９ｂ，６９ｃにおいては、低圧ガス開閉弁ＳＶ２ｂ，ＳＶ２ｃが閉止するとともに高圧ガス開閉弁ＳＶ１ｂ，ＳＶ１ｃが開くことによって、室内ユニット６７ｂ，６７ｃの室内熱交換器６７１ｂ，６７１ｃが凝縮器として機能するようになっている。室内ユニット６７ｂ，６７ｃにおいては、室内側膨張弁ＥＶ１ｂ，ＥＶ１ｃは、例えば、室内熱交換器６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【００４４】
このような冷媒回路６０の構成において、圧縮機６１１で圧縮され吐出された高圧のガス冷媒は、高圧ガス側閉鎖弁６３３を通じて、高圧ガス冷媒連絡配管６９３に送られる。
そして、高圧ガス冷媒連絡配管６９３に送られた高圧のガス冷媒は、２つに分岐されて、各接続ユニット６９ｂ，６９ｃの高圧ガス接続管６９３ｂ，６９３ｃに送られる。接続ユニット６９ｂ，６９ｃの高圧ガス接続管６９３ｂ，６９３ｃに送られた高圧のガス冷媒は、高圧ガス開閉弁ＳＶ１ｂ，ＳＶ１ｃおよび合流ガス接続管６９４ｂ，６９４ｃを通じて室内ユニット６７ｂ，６７ｃの室内熱交換器６７１ｂ，６７１ｃに送られる。
【００４５】
そして、室内熱交換器６７１ｂ，６７１ｃに送られた高圧のガス冷媒は、室内ユニット６７ｂ，６７ｃの室内熱交換器６７１ｂ，６７１ｃにおいて、屋内空気と熱交換を行うことによって凝縮される。一方、屋内の空気は、加熱されて屋内に供給される。室内熱交換器６７１ｂ，６７１ｃにおいて凝縮された冷媒は、室内側膨張弁ＥＶ１ｂ，ＥＶ１ｃを通過した後、接続ユニット６９ｂ，６９ｃの液接続管６９１ｂ，６９１ｃに送られる。
【００４６】
そして、液接続管６９１ｂ，６９１ｃに送られた冷媒は、液冷媒連絡配管６９１に送られて合流する。
そして、液冷媒連絡配管６９１に送られて合流した冷媒の一部は、接続ユニット６９ａの液接続管６９１ａに送られる。そして、接続ユニット６９ａの液接続管６９１ａに送られた冷媒は、室内ユニット６７ａの室内側膨張弁ＥＶ１ａに送られる。
【００４７】
そして、室内側膨張弁ＥＶ１ａに送られた冷媒は、室内側膨張弁ＥＶ１ａによって減圧された後、室内熱交換器６７１ａにおいて、屋内空気と熱交換を行うことによって蒸発されて低圧のガス冷媒となる。一方、屋内の空気は、冷却されて屋内に供給される。そして、低圧のガス冷媒は、接続ユニット６９ａの合流ガス接続管６９４ａに送られる。
そして、合流ガス接続管６９４ａに送られた低圧のガス冷媒は、低圧ガス開閉弁ＳＶ２ａおよび低圧ガス接続管６９２ａを通じて、低圧ガス冷媒連絡配管６９２に送られて合流する。
【００４８】
そして、低圧ガス冷媒連絡配管６９２に送られた低圧のガス冷媒は、低圧ガス側閉鎖弁６３２および気液分離器６１４を経由して、圧縮機６１１の吸入側に戻される。
一方、液冷媒連絡配管６９１から接続ユニット６９ａおよび室内ユニット６７ａに送られた冷媒を除いた残りの冷媒は、室外ユニット６１の液側閉鎖弁６３１を通じて室外熱交換器６１２に送られ、室外熱交換器６１２において蒸発されて低圧のガス冷媒になる。このガス冷媒は、四路切換弁６１３および気液分離器６１４を経由して、圧縮機構２１の吸入側に戻される。このようにして、冷暖同時運転（蒸発負荷）が行われている。
【００４９】
（Ｄ）冷暖同時運転（凝縮負荷）
室内ユニット６７ａ，６７ｂ，６７ｃのうち、例えば、室内ユニット６７ａ，６７ｂを冷房運転し、かつ、室内ユニット６７ｃを暖房運転する冷暖同時運転モードであって、室内ユニット６７ａ，６７ｂ，６７ｃ全体の空調負荷に応じて、室外ユニット６１の室外熱交換器６１２を凝縮器として機能させる運転（凝縮運転）について説明する。この際、四路切換弁６１３が図１の実線で示される状態に切り換えられることによって、室外熱交換器６１２が凝縮器として機能するとともに、高圧ガス冷媒連絡配管６９３を通じて室内ユニット６７ｃに圧縮機６１１において圧縮され吐出された高圧のガス冷媒が供給されるようになる。接続ユニット６９ａ，６９ｂにおいては、高圧ガス開閉弁ＳＶ１ａ，ＳＶ１ｂが閉止するとともに低圧ガス開閉弁ＳＶ２ａ，ＳＶ２ｂが開くことによって、室内ユニット６７ａ，６７ｂの室内熱交換器６７１ａ，６７１ｂが蒸発器として機能するとともに、室内ユニット６７ａ，６７ｂの室内熱交換器６７１ａ，６７１ｂと室外ユニット６１の圧縮機６１１の吸入側とが低圧ガス冷媒連絡配管６９２を介して接続された状態になっている。室内ユニット６７ａ，６７ｂにおいては、室内側膨張弁ＥＶ１ａ，ＥＶ１ｂは、例えば、室内熱交換器６７１ａ，６７１ｂの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット６９ｃにおいては、低圧ガス開閉弁ＳＶ２ｃが閉止するとともに高圧ガス開閉弁ＳＶ１ｃが開くことによって、室内ユニット６７ｃの室内熱交換器６７１ｃが凝縮器として機能するようにしている。室内ユニット６７ｃにおいては、室内側膨張弁ＥＶ１ｃは、例えば、室内熱交換器６７１ｃの過冷却度（具体的には、液側温度センサで検出される冷媒温度とガス側温度センサで検出される冷媒温度との温度差）に基づいて開度調節する等、室内ユニットの暖房負荷に応じて開度調節されている。
【００５０】
このような冷媒回路６０の構成において、圧縮機６１１で圧縮され吐出された高圧のガス冷媒は、四路切換弁６１３を通じて室外熱交換器６１２に送られるとともに、高圧ガス側閉鎖弁６３３を通じて高圧ガス冷媒連絡配管６９３にも送られる。
室外熱交換器６１２に送られた高圧のガス冷媒は、室外熱交換器６１２において凝縮され、液冷媒となる。そして、その液冷媒は、液側閉鎖弁６３１を通じて、液冷媒連絡配管６９１に送られる。
【００５１】
また、高圧ガス冷媒連絡配管６９３に送られた高圧のガス冷媒は、接続ユニット６９ｃの高圧ガス接続管６９３ｃに送られる。接続ユニット６９ｃの高圧ガス接続管６９３ｃに送られた高圧のガス冷媒は、高圧ガス開閉弁ＳＶ１ｃおよび合流ガス接続管６９４ｃを通じて室内ユニット６７ｃの室内熱交換器６７１ｃに送られる。
そして、室内熱交換器６７１ｃに送られた高圧のガス冷媒は、室内ユニット６７ｃの室内熱交換器６７１ｃにおいて、屋内空気と熱交換を行うことによって凝縮される。一方、屋内の空気は、加熱されて屋内に供給される。室内熱交換器６７１ｃにおいて凝縮された冷媒は、室内側膨張弁ＥＶ１ｃを通過した後、接続ユニット６９ｃの液接続管６９１ｃに送られる。
【００５２】
そして、液接続管６９１ｃに送られた冷媒は、液冷媒連絡配管６９１に送られて、液側閉鎖弁６３１を通じて液冷媒連絡配管６９１に送られた冷媒に合流される。
そして、この液冷媒連絡配管６９１を流れる冷媒は、２つに分岐されて、各接続ユニット６９ａ，６９ｂの液接続管６９１ａ，６９１ｂに送られる。そして、接続ユニット６９ａ，６９ｂの液接続管６９１ａ，６９１ｂに送られた冷媒は、室内ユニット６７ａ，６７ｂの室内側膨張弁ＥＶ１ａ，ＥＶ１ｂに送られる。
【００５３】
そして、室内側膨張弁ＥＶ１ａ，ＥＶ１ｂに送られた冷媒は、室内側膨張弁ＥＶ１ａ，ＥＶ１ｂによって減圧された後、室内熱交換器６７１ａ，６７１ｂにおいて、屋内空気と熱交換を行うことによって蒸発されて低圧のガス冷媒となる。一方、屋内の空気は、冷却されて屋内に供給される。そして、低圧のガス冷媒は、接続ユニット６９ａ，６９ｂの合流ガス接続管６９４ａ，６９４ｂに送られる。
【００５４】
そして、合流ガス接続管６９４ａ，６９４ｂに送られた低圧のガス冷媒は、低圧ガス開閉弁ＳＶ２ａ，ＳＶ２ｂおよび低圧ガス接続管６９２ａ，６９２ｂを通じて、低圧ガス冷媒連絡配管６９２に送られて合流する。
そして、低圧ガス冷媒連絡配管６９２に送られた低圧のガス冷媒は、低圧ガス側閉鎖弁６３２および気液分離器６１４を経由して、圧縮機６１１の吸入側に戻される。このようにして、冷暖同時運転（凝縮負荷）が行われている。
【００５５】
（２）蓄熱ユニット利用運転
蓄熱ユニット利用運転は、蓄熱材に温熱を蓄積させる温蓄熱運転と、温蓄熱運転により蓄熱材に蓄積された温熱を利用して個々の室内機６７ａ，６７ｂ，６７ｃの運転状態を維持したまま室外熱交換器６１２のデフロストを行うデフロスト運転とにさらに分けることができる。また、この蓄熱ユニット利用運転は、主に、複数の室内ユニット６７ａ，６７ｂ，６７ｃのほとんど又は全てが暖房運転される状況（つまり、室外熱交換器６１２に高い蒸発負荷がかかる状況）において利用される。このため、ここでは、室内ユニット６７ａ，６７ｂ，６７ｃの全てが暖房運転している状況を代表例として、以下、温蓄熱運転およびデフロスト運転の説明を行う。
【００５６】
（Ａ）温蓄熱運転
温蓄熱運転時は、四路切換弁６１３が図１の破線で示される状態に切り換えられることによって、室外熱交換器６１２が蒸発器として機能するとともに、高圧ガス冷媒連絡配管６９３を通じて室内ユニット６７ａ，６７ｂ，６７ｃおよび蓄熱ユニット６４に圧縮機６１１において圧縮され吐出された高圧のガス冷媒が供給されるようになる。接続ユニット６９ａ，６９ｂ，６９ｃ，６９ｄにおいては、低圧ガス開閉弁ＳＶ２ａ，ＳＶ２ｂ，ＳＶ２ｃ，ＳＶ２ｄが閉止するとともに高圧ガス開閉弁ＳＶ１ａ，ＳＶ１ｂ，ＳＶ１ｃ，ＳＶ１ｄが開くことによって、室内ユニット６７ａ，６７ｂ，６７ｃの室内熱交換器６７１ａ，６７１ｂ，６７１ｃおよび蓄熱ユニット６４の蓄熱用熱交換器６４１が凝縮器として機能する状態になる。室内ユニット６７ａ，６７ｂ，６７ｃにおいては、室内側膨張弁ＥＶ１ａ，Ｅｖ１ｂ，ＥＶ１ｃが、例えば、室内熱交換器６７１ａ，６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット６４においては、蓄熱用膨張弁ＥＶ２が、例えば、蓄熱用熱交換器６４１の過冷却度（具体的には、液側温度センサで検出される冷媒温度とガス側温度センサで検出される冷媒温度との温度差）に基づいて開度調節する等されている。
【００５７】
このような冷媒回路６０の構成において、圧縮機６１１で圧縮され吐出された高圧のガス冷媒は、高圧ガス側閉鎖弁６３３を通じて、高圧ガス冷媒連絡配管６９３に送られる。
そして、高圧ガス冷媒連絡配管６９３に送られた高圧のガス冷媒は、４つに分岐されて、各接続ユニット６９ａ，６９ｂ，６９ｃ，６９ｄの高圧ガス接続管６９３ａ，６９３ｂ，６９３ｃ，６９３ｄに送られる。接続ユニット６９ａ，６９ｂ，６９ｃ，６９ｄの高圧ガス接続管６９３ａ，６９３ｂ，６９３ｃ，６９３ｄに送られた高圧のガス冷媒は、高圧ガス開閉弁ＳＶ１ａ，ＳＶ１ｂ，ＳＶ１ｃ，ＳＶ１ｄおよび合流ガス接続管６９４ａ，６９４ｂ，６９４ｃ，６９４ｄを通じて、室内ユニット６７ａ，６７ｂ，６７ｃの室内熱交換器６７１ａ，６７１ｂ，６７１ｃおよび蓄熱ユニット６４の蓄熱用熱交換器６４１に送られる。
【００５８】
そして、室内熱交換器６７１ａ，６７１ｂ，６７１ｃに送られた高圧のガス冷媒は、室内ユニット６７ａ，６７ｂ，６７ｃの室内熱交換器６７１ａ，６７１ｂ，６７１ｃにおいて、屋内空気と熱交換を行うことによって凝縮される。一方、屋内の空気は、加熱されて屋内に供給される。室内熱交換器６７１ａ，６７１ｂ，６７１ｃにおいて凝縮された冷媒は、室内側膨張弁ＥＶ１ａ，Ｅｖ１ｂ，ＥＶ１ｃを通過した後、接続ユニット６９ａ，６９ｂ，６９ｃの液接続管６９１ａ，６９１ｂ，６９１ｃに送られる。
【００５９】
一方、蓄熱用熱交換器６４１に送られた高圧のガス冷媒は、蓄熱ユニット６４の蓄熱用熱交換器６４１において、蓄熱槽６４２に貯留される蓄熱材を加熱するとともに凝縮される。この際、蓄熱材は、固相から液相に相転移し、ガス冷媒から供給される温熱を主に潜熱として蓄積する。蓄熱用熱交換器６４１において凝縮された冷媒は、蓄熱用膨張弁ＥＶ２を通過した後、接続ユニット６９ｄの液接続管６９１ｄに送られる。
【００６０】
そして、液接続管６９１ａ，６９１ｂ，６９１ｃ，６９１ｄに送られた冷媒は、液冷媒連絡配管６９１に送られて合流する。
そして、液冷媒連絡配管６９１に送られて合流した冷媒は、室外ユニット６１の液側閉鎖弁６３１を通じて、室外熱交換器６１２に送られ、室外熱交換器６１２において蒸発されて低圧のガス冷媒になる。このガス冷媒は、四路切換弁６１３および気液分離器６１４を経由して、圧縮機６１１の吸入側に戻される。このようにして、温蓄熱運転が行われる。
【００６１】
（Ｂ）デフロスト運転
デフロスト運転時は、四路切換弁６１３が図１の実線で示される状態に切り換えられることによって、室外熱交換器６１２が凝縮器として機能するとともに、高圧ガス冷媒連絡配管６９３を通じて室内ユニット６７ｃに圧縮機６１１において圧縮され吐出された高圧のガス冷媒が供給されるようになる。接続ユニット６９ａ，６９ｂ，６９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット６７ａ，６７ｂ，６７ｃの室内熱交換器６７１ａ，６７１ｂ，６７１ｃが凝縮器として機能するようにしている。一方、接続ユニット６９ｄにおいては、高圧ガス開閉弁ＳＶ１ｄが閉止するとともに低圧ガス開閉弁ＳＶ２ｄが開くことによって、蓄熱ユニット６４の蓄熱用熱交換器６４１が蒸発器として機能するとともに、蓄熱ユニット６４の蓄熱用熱交換器６４１と室外ユニット６１の圧縮機６１１の吸入側とが低圧ガス冷媒連絡配管６９２を介して接続された状態になっている。なお、この際、蓄熱材には、所定期間（例えば、１０分間）、全ての室内ユニット６７ａ，６７ｂ，６７ｃにおける最大凝縮負荷の総和を相殺する以上の蒸発負荷を蓄熱用熱交換器６１２に与えるだけの温熱が蓄積されている。室内ユニット６７ａ，６７ｂ，６７ｃにおいては、室内側膨張弁ＥＶ１ａ，Ｅｖ１ｂ，ＥＶ１ｃが、例えば、室内熱交換器６７１ａ，６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット６４においては、蓄熱用膨張弁ＥＶ２が、例えば、蓄熱用熱交換器６４１の過熱度（具体的には、液側温度センサで検出される冷媒温度とガス側温度センサで検出される冷媒温度との温度差）に基づいて開度調節する等されている。
【００６２】
このような冷媒回路６０の構成において、圧縮機６１１で圧縮され吐出された高圧のガス冷媒は、四路切換弁６１３を通じて室外熱交換器６１２に送られるとともに、高圧ガス側閉鎖弁６３３を通じて高圧ガス冷媒連絡配管６９３にも送られる。
室外熱交換器６１２に送られた高圧のガス冷媒は、室外熱交換器６１２の外表面に付着している霜を融解するとともに凝縮されて液冷媒となる。そして、その液冷媒は、液側閉鎖弁６３１を通じて、液冷媒連絡配管６９１に送られる。
【００６３】
また、高圧ガス冷媒連絡配管６９３に送られた高圧のガス冷媒は、接続ユニット６９ａ，６９ｂ，６９ｃの高圧ガス接続管６９３ａ，６９３ｂ，６９３ｃに送られる。接続ユニット６９ａ，６９ｂ，６９ｃの高圧ガス接続管６９３ａ，６９３ｂ，６９３ｃに送られた高圧のガス冷媒は、高圧ガス開閉弁ＳＶ１ａ，ＳＶ１ｂ，ＳＶ１ｃおよび合流ガス接続管６９４ａ，６９４ｂ，６９４ｃを通じて室内ユニット６７ａ，６７ｂ，６７ｃの室内熱交換器６７１ａ，６７１ｂ，６７１ｃに送られる。
【００６４】
そして、室内熱交換器６７１ａ，６７１ｂ，６７１ｃに送られた高圧のガス冷媒は、室内ユニット６７ａ，６７ｂ，６７ｃの室内熱交換器６７１ａ，６７１ｂ，６７１ｃにおいて、屋内空気と熱交換を行うことによって凝縮される。一方、屋内の空気は、加熱されて屋内に供給される。室内熱交換器６７１ａ，６７１ｂ，６７１ｃにおいて凝縮された冷媒は、室内側膨張弁ＥＶ１ａ，ＥＶ１ｂ，ＥＶ１ｃを通過した後、接続ユニット６９ａ，６９ｂ，６９ｃの液接続管６９１ａ，６９１ｂ，６９１ｃに送られる。
【００６５】
そして、液接続管６９１ａ，６９１ｂ，６９１ｃに送られた冷媒は、液冷媒連絡配管６９１に送られて、液側閉鎖弁６３１を通じて液冷媒連絡配管６９１に送られた冷媒に合流される。
そして、この液冷媒連絡配管６９１を流れる冷媒は、接続ユニット６９ｄの液接続管６９１ｄに送られる。そして、接続ユニット６９ｄの液接続管６９１ｄに送られた冷媒は、蓄熱ユニット６４の蓄熱用膨張弁ＥＶ２に送られる。
【００６６】
そして、蓄熱用膨張弁ＥＶ２に送られた冷媒は、蓄熱用膨張弁ＥＶ２によって減圧された後、蓄熱用熱交換器６４１において、蓄熱材に蓄積されている温熱によって蒸発されて低圧のガス冷媒となる。この際、蓄熱材は、蓄熱していた温熱を徐々に放出していき、その温度が凝固点に達すると（潜熱分を使い切ると）、液相から固相に相転移することとなる。そして、低圧のガス冷媒は、接続ユニット６９ｄの合流ガス接続管６９４ｄに送られる。
【００６７】
そして、合流ガス接続管６９４ｄに送られた低圧のガス冷媒は、低圧ガス開閉弁ＳＶ２ｄおよび低圧ガス接続管６９２ｄを通じて、低圧ガス冷媒連絡配管６９２に送られて合流する。
そして、低圧ガス冷媒連絡配管６９２に送られた低圧のガス冷媒は、低圧ガス側閉鎖弁６３２および気液分離器６１４を経由して、圧縮機６１１の吸入側に戻される。
【００６８】
なお、このデフロスト運転は、室外熱交換器６１２の外表面の温度や外気温などのパラメータに基づいて切り換わるようなっている。
［空気調和装置の特徴］
（１）
第１実施形態に係る空気調和装置６では、接続ユニット６９ｄの高圧ガス開閉弁ＳＶ１ｄを開けた状態にし、かつ、低圧ガス開閉弁ＳＶ２ｄを閉止する状態にすることによって蓄熱材に温熱を蓄積することができる。そして、この空気調和装置６では、ほとんど又は全部の室内ユニット６７ａ，６７ｂ，６７ｃが暖房状態にある状況（つまり、室外熱交換器６１２に高い凝縮負荷がかかる状況）において、接続ユニット６９ｄの高圧ガス開閉弁ＳＶ１ｄが閉止された状態に、低圧ガス開閉弁ＳＶ２ｄが開けた状態にされると、蓄熱用熱交換器６４１が蓄熱材に蓄積された温熱を利用して室外熱交換器６１２を凝縮負荷にする程度まで液冷媒連絡配管６９１に流れる液冷媒を蒸発させることができる。このため、この空気調和装置６では、室内ユニット６７ａ，６７ｂ，６７ｃを暖房状態に維持したままで、室外熱交換器６１２に堆積した霜を除去することができる。したがって、この空気調和装置６では、空調空間の快適性を損なうことなく室外熱交換器６１２に堆積した霜を除去することができる。
【００６９】
（２）
第１実施形態に係る蓄熱ユニット６４では、蓄熱用熱交換器６４１が接続ユニット６９ｄと接続可能である。このため、この蓄熱ユニット６４は、本実施の形態に係る空気調和装置６に容易に挿入することができる。
（３）
第１実施形態に係る蓄熱ユニット６４は、本実施の形態に係る空気調和装置６に挿入された状態において、接続ユニット６９ｄの高圧ガス開閉弁ＳＶ１ｄが開けた状態にされ、かつ、低圧ガス開閉弁ＳＶ２ｄが閉止する状態にされると、蓄熱材に温熱を蓄積する。そして、ほとんど又は全部の室内ユニット６７ａ，６７ｂ，６７ｃが暖房状態にある状況（つまり、室外熱交換器６１２に高い凝縮負荷がかかる状況）において、接続ユニット６９ｄの高圧ガス開閉弁ＳＶ１ｄが閉止された状態に、低圧ガス開閉弁ＳＶ２ｄが開けた状態にされると、蓄熱用熱交換器６４１が蓄熱材に蓄積された温熱を利用して室外熱交換器６１２を凝縮負荷にする程度まで液冷媒連絡配管６９１に流れる液冷媒を蒸発させることができる。このため、この蓄熱ユニット６４は、本実施の形態に係る空気調和装置６に対して、室内ユニット６７ａ，６７ｂ，６７ｃを暖房状態に維持したままで、室外熱交換器６１２に堆積した霜を除去する機能を付与することができる。
【００７０】
［変形例］
第１実施形態に係る空気調和装置６では、蓄熱ユニット６４が１台しか設けられなかったが、蓄熱ユニット６４は、複数台設けられてもかまわない。
＜第２実施形態＞
［空気調和装置の構成］
本発明の一実施形態にかかる空気調和装置７の概略冷媒回路７０を図２に示す。
【００７１】
空気調和装置７は、蒸気圧縮式の冷凍サイクル運転を行うことによって、ビル等の屋内の冷暖房に使用される装置である。また、この空気調和装置７は、室外熱交換器７１２に付着する霜を除去するためのデフロスト運転を行うことが可能な仕様になっており、冬季などにおいて気温が氷点下となるような寒冷地への設置に適する。
空気調和装置７は、主として、１台の室外ユニット７１と、複数（本実施形態では、３台）の室内ユニット７７ａ，７７ｂ，７７ｃと、１台の氷蓄熱ユニット７４と、各室内ユニット７７ａ，７７ｂ，７７ｃおよび氷蓄熱ユニット７４に接続される接続ユニット７９ａ，７９ｂ，７９ｃ，７９ｄと、室外ユニット７１と氷蓄熱ユニット７４とを直接接続する冷媒連絡配管７９８と、接続ユニット７９ａ，７９ｂ，７９ｃ，７９ｄを介して室外ユニット７１と室内ユニット７７ａ，７７ｂ，７７ｃおよび氷蓄熱ユニット７４とを接続する冷媒連絡配管７９２，７９３と、接続ユニット７９ａ，７９ｂ，７９ｃを介して室内ユニット７７ａ，７７ｂ，７７ｃと氷蓄熱ユニット７４とを接続する冷媒連絡配管７９１とを備えており、例えば、ある空調空間については冷房運転を行いつつ他の空調空間については暖房運転を行う等のように、室内ユニット７７ａ，７７ｂ，７７ｃが設置される屋内の空調空間の要求に応じて、冷暖同時運転が可能になるように構成されている。すなわち、本実施形態の空気調和装置７の蒸気圧縮式の冷媒回路７０は、室外ユニット７１と、室内ユニット７７ａ，７７ｂ，７７ｃと、氷蓄熱ユニット７４と、接続ユニット７９ａ，７９ｂ，７９ｃ，７９ｄと、冷媒連絡配管７９１，７９２，７９３，７９８とが接続されることによって構成されている。
【００７２】
（１）室内ユニット
室内ユニット７７ａ，７７ｂ，７７ｃは、ビル等の屋内の天井に埋め込みや吊り下げ等、または、屋内の壁面に壁掛け等により設置されている。室内ユニット７７ａ，７７ｂ，７７ｃは、冷媒連絡配管７９１，７９２，７９３，７９８、接続ユニット７９ａ，７９ｂ，７９ｃ、および氷蓄熱ユニット７４を介して室外ユニット７１に接続されており、冷媒回路７０の一部を構成している。
【００７３】
次に、室内ユニット７７ａ，７７ｂ，７７ｃの構成について説明する。なお、室内ユニット７７ａと室内ユニット７７ｂ，７７ｃとは同様の構成であるため、ここでは、室内ユニット７７ａの構成のみ説明し、室内ユニット７７ｂ，７７ｃの構成については、各部の説明を省略する。
室内ユニット７７ａは、主として、冷媒回路７０の一部を構成しており、室内側冷媒回路７８ａ（室内ユニット７７ｂ，７７ｃでは、それぞれ、室内側冷媒回路７８ｂ，７８ｃ）を備えている。この室内側冷媒回路７８ａは、主として、室内側膨張弁ＥＶ１ａおよび室内熱交換器７７１ａを備えている。本実施形態において、室内側膨張弁ＥＶ１ａは、室内側冷媒回路７８ａ内を流れる冷媒の流量の調節等を行うために、室内熱交換器７７１ａの液側に接続された電動膨張弁である。本実施形態において、室内熱交換器７７１ａは、伝熱管と多数のフィンとにより構成されたクロスフィン式のフィン・アンド・チューブ型熱交換器であり、冷媒と屋内空気との熱交換を行うための機器である。本実施形態において、室内ユニット７７ａは、ユニット内に屋内空気を吸入して、熱交換した後に、供給空気として屋内に供給するための送風ファン（図示せず）を備えており、屋内空気と室内熱交換器７７１ａを流れる冷媒とを熱交換させることが可能である。
【００７４】
また、室内ユニット７７ａには、各種のセンサが設けられている。室内熱交換器７７１ａの液側には液冷媒の温度を検出する液側温度センサ（図示せず）が設けられており、室内熱交換器７７１ａのガス側にはガス冷媒の温度を検出するガス側温度センサ（図示せず）が設けられている。さらに、室内ユニット７７ａには、ユニット内に吸入される屋内空気の温度を検出するＲＡ吸入温度センサ（図示せず）が設けられている。また、室内ユニット７７ａは、室内ユニット７７ａを構成する各部の動作を制御する室内側制御部（図示せず）を備えている。そして、室内側制御部は、室内ユニット７７ａの制御を行うために設けられたマイクロコンピュータやメモリを有しており、リモコン（図示せず）との間で制御信号等のやりとりを行ったり、室外ユニット７１との間で制御信号等のやりとりを行ったりすることができるようになっている。
【００７５】
（２）氷蓄熱ユニット
氷蓄熱ユニット７４は、ビル等の屋内等に設置されている。氷蓄熱ユニット７４は、冷媒連絡配管７９２，７９３，７９８および接続ユニット７９ｄを介して室外ユニット７１に接続されており、冷媒回路７０の一部を構成している。
次に、氷蓄熱ユニット７４の構成について説明する。氷蓄熱ユニット７４は、主として、冷媒回路７０の一部を構成しており、蓄熱冷媒回路７５を備えている。この蓄熱冷媒回路７５は、主として、液ライン７５ａ、蓄熱ライン７５ｂ、および利用ライン７５ｃから構成されている。
【００７６】
液ライン７５ａは、後述する接続ユニット７９ｄの液接続管７９１ｄおよび冷媒連絡配管７９８に接続されるラインであり、第３開閉機構ＯＣ３を有している。本実施形態において、第３開閉機構ＯＣ３は、開閉可能な第３開閉弁ＳＶ３および第３逆止弁７６３を有している。この第３開閉機構ＯＣ３では、第３開閉弁ＳＶ３と第３逆止弁７６３とが冷媒流れに対して並列に配置される。また、この第３逆止弁７６３は、接続ユニット７９ｄの液接続管７９１ｄ用の接続ポート（図示せず）から冷媒連絡配管７９８用の接続ポート（図示せず）に向かう冷媒の流れのみを許容するように取り付けられている。なお、以下、液ライン７５ａのうち冷媒連絡配管７９８用の接続ポートと第３開閉機構ＯＣ３との間に位置する液ライン７５ａを第１液ライン７６ａといい、液ライン７５ａのうち接続ユニット７９ｄの液接続管７９１ｄ用の接続ポートと第３開閉機構ＯＣ３との間に位置する液ライン７５ａを第２液ライン７６ｂという。
【００７７】
蓄熱ライン７５ｂは、一端が後述する接続ユニット７９ｄの合流ガス接続管７９４ｄに、他端が第２液ライン７６ｂに接続されるラインであり、蓄熱用熱交換器７４１および蓄熱用膨張弁ＥＶ２を有している。なお、この蓄熱ライン７５ｄでは、蓄熱用交換器７４１が合流ガス接続管７９４ｄ用の接続ポート（図示せず）側に、蓄熱用膨張弁ＥＶ２が第２液ライン７６ｂとの接続点側に配備されている。本実施形態において、蓄熱用膨張弁ＥＶ２は、蓄熱冷媒回路７５内を流れる冷媒の流量の調節等を行うために、蓄熱用熱交換器７４１の液側に接続された電動膨張弁である。本実施形態において、蓄熱用熱交換器７４１は、伝熱管と多数のフィンとにより構成されたクロスフィン式のフィン・アンド・チューブ型熱交換器であり、冷媒と蓄熱水槽７４２に貯留されている蓄熱用水との熱交換を行うための機器である。なお、以下、蓄熱ラインのうち合流ガス接続管７９４ｄ用の接続ポートと蓄熱用熱交換器７４１との間に位置する蓄熱ライン７５ｂを合流ガス側蓄熱ライン７６ｃという。
【００７８】
利用ライン７５ｃは、一端が合流ガス側蓄熱ライン７６ｃに、他端が第１液ライン７６ａに接続されるラインであり、第４開閉機構ＯＣ４を有している。本実施形態において、第４開閉機構ＯＣ４は、開閉可能な第４開閉弁ＳＶ４および第４逆止弁７６４を有している。この第４開閉機構ＯＣ４では、第４開閉弁ＳＶ４と第４逆止弁７６４とが冷媒流れに対して直列に配置される。なお、この際、第４開閉弁ＳＶ４は第１液ライン７６ａ側に、第４逆止弁７６４は合流ガス側蓄熱ライン７６ｃ側に配置される。また、この第４逆止弁７６４は、第１液ライン７６ａから合流ガス側蓄熱ライン７６ｃに向かう冷媒の流れのみを許容するように取り付けられている。
【００７９】
また、氷蓄熱ユニット７４には、各種のセンサが設けられている。蓄熱用熱交換器７４１の液側には液冷媒の温度を検出する液側温度センサ（図示せず）が設けられており、蓄熱用熱交換器７４１のガス側にはガス冷媒の温度を検出するガス側温度センサ（図示せず）が設けられている。さらに、蓄熱水槽７４２には、蓄熱用水の温度を検出する蓄熱温度センサ（図示せず）が設けられている。また、氷蓄熱ユニット７４は、氷蓄熱ユニット７４を構成する各部の動作を制御する氷蓄熱制御部（図示せず）を備えている。そして、氷蓄熱制御部は、氷蓄熱ユニット７４の制御を行うために設けられたマイクロコンピュータやメモリを有しており、リモコン（図示せず）との間で制御信号等のやりとりを行ったり、室外ユニット７１との間で制御信号等のやりとりを行ったりすることができるようになっている。
【００８０】
（３）室外ユニット
室外ユニット７１は、ビル等の屋上等に設置されており、接続ユニット７９ｄおよび冷媒連絡配管７９２，７９３，７９８を介して氷蓄熱ユニット７４に接続され、接続ユニット７９ａ，７９ｂ，７９ｃ、冷媒連絡配管７９１，７９２，７９３，７９８、および蓄熱ユニット７４を介して室内ユニット７７ａ，７７ｂ，７７ｃに接続されており、室内ユニット７７ａ，７７ｂ，７７ｃおよび氷蓄熱ユニット７４の間で冷媒回路７０を構成している。
【００８１】
次に、室外ユニット７１の構成について説明する。室外ユニット７１は、主として、冷媒回路７０の一部を構成しており、室外側冷媒回路７ａを備えている。この室外側冷媒回路７ａは、主として、圧縮機７１１、四路切換弁７１３、室外熱交換器７１２、気液分離器７１４、減圧回路７０ａ、液側閉鎖弁７３１、高圧ガス側閉鎖弁７３３、および低圧ガス側閉鎖弁７３２を備えている。
【００８２】
圧縮機７１１は、本実施形態において、インバータ制御により運転容量を可変することが可能な容積式圧縮機である。本実施形態において、圧縮機７１１は、１台のみであるが、これに限定されず、室内ユニットの接続台数等に応じて、２台以上の圧縮機が並列に接続されたものであってもよい。
室外熱交換器７１２は、冷媒の蒸発器および冷媒の凝縮器として機能させることが可能な熱交換器であり、本実施形態において、空気を熱源として冷媒と熱交換するクロスフィン式のフィン・アンド・チューブ型熱交換器である。室外熱交換器７１２は、そのガス側が四路切換弁７１３に接続され、その液側が液側閉鎖弁７３１に接続されている。
【００８３】
液側閉鎖弁７３１、高圧ガス側閉鎖弁７３３、および低圧ガス側閉鎖弁７３２は、外部の機器・配管（具体的には、冷媒連絡配管７９２，７９３，７９８）との接続口に設けられた弁である。液側閉鎖弁７３１は、室外熱交換器７１２に接続されている。高圧ガス側閉鎖弁７３３は、圧縮機７１１の吐出管７２６に接続されている。低圧ガス側閉鎖弁７３２は、気液分離器７１４を介して圧縮機７１１の吸入側に接続されている。
【００８４】
減圧回路７０ａは、キャピラリーチューブ７３８を有しており、四路切換弁７１３および気液分離器７１４に接続されている。
また、室外ユニット７１には、各種のセンサが設けられている。具体的には、室外ユニット７１は、圧縮機７１１の吸入圧力を検出する吸入圧力センサ（図示せず）と、圧縮機７１１の吐出圧力を検出する吐出圧力センサ（図示せず）と、圧縮機構７１１の吐出側の冷媒の吐出温度を検出する吐出温度センサ（図示せず）とが設けられている。また、室外ユニット７１は、室外ユニット７１を構成する各部の動作を制御する室外側制御部（図示せず）を備えている。そして、室外側制御部は、室外ユニット７１の制御を行うために設けられたマイクロコンピュータやメモリを有しており、室内ユニット７７ａ，７７ｂ，７７ｃの室内側制御部との間で制御信号等のやりとりを行うことができるようになっている。
【００８５】
（４）接続ユニット
接続ユニット７９ａ，７９ｂ，７９ｃ，７９ｄは、ビル等の屋内に室内ユニット７７ａ，７７ｂ，７７ｃおよび氷蓄熱ユニット７４とともに設置されている。接続ユニット７９ａ，７９ｂ，７９ｃ，７９ｄは、冷媒連絡配管７９１，７９２，７９３とともに、室内ユニット７７ａ，７７ｂ，７７ｃおよび氷蓄熱ユニット７４と室外ユニット７１との間に介在しており、冷媒回路７０の一部を構成している。
【００８６】
次に、接続ユニット７９ａ，７９ｂ，７９ｃ，７９ｄの構成について説明する。なお、接続ユニット７９ａと接続ユニット７９ｂ，７９ｃとは同様の構成であるため、ここでは、接続ユニット７９ａの構成のみ説明し、接続ユニット７９ｂ，７９ｃの構成については、各部の説明を省略する。接続ユニット７９ｄも接続ユニット７９ａ，７９ｂ，７９ｃと同様の構成であるが、本実施形態においては接続対象７７ａ，７４が異なるため、接続ユニット７９ｄについは接続ユニット７９ａと併せて説明する。
【００８７】
接続ユニット７９ａ，７９ｄは、主として、冷媒回路７０の一部を構成しており、接続側冷媒回路７９９ａ，７９９ｄ（接続ユニット７９ｂ，７９ｃでは、それぞれ、接続側冷媒回路７９９ｂ，７９９ｃ）を備えている。この接続側冷媒回路７９９ａ，７９９ｄは、主として、液接続管７９１ａ，７９１ｄ、ガス接続管７９５ａ，７９５ｄ、高圧ガス開閉弁ＳＶ１ａ，ＳＶ１ｄ、および低圧ガス開閉弁ＳＶ２ａ，ＳＶ２ｄを有している。
【００８８】
本実施形態において、液接続管７９１ａ，７９１ｄは、液冷媒連絡配管７９１と室内側冷媒回路７８ａの室内側膨張弁ＥＶ１ａおよび蓄熱冷媒回路７５の第２液ライン７６ｂとを接続している。ガス接続管７９５ａ，７９５ｄは、高圧ガス冷媒連絡配管７９３に接続された高圧ガス接続管７９３ａ，７９５ｄと、低圧ガス冷媒連絡配管７９２に接続された低圧ガス接続管７９２ａ，７９２ｄと、高圧ガス接続管７９３ａ，７９３ｄと低圧ガス接続管７９２ａ，７９２ｄとを合流させる合流ガス接続管７９４ａ，７９４ｄとを有している。合流ガス接続管７９４ａ，７９４ｄは、室内側冷媒回路７８ａの室内熱交換器７７１ａのガス側および蓄熱冷媒回路７５の合流ガス側蓄熱ライン７６ｃに接続されている。そして、高圧ガス開閉弁ＳＶ１ａ，ＳＶ１ｄは、本実施形態において、高圧ガス接続管７９３ａ，７９３ｄに接続されており、冷媒の流通および遮断が可能な電磁弁である。低圧ガス開閉弁ＳＶ２ａ，ＳＶ２ｄは、本実施形態において、低圧ガス接続管７９２ａ，７９２ｄに接続されており、冷媒の流通および遮断が可能な電磁弁である。これにより、接続ユニット７９ａは、室内ユニット７７ａが冷房運転を行う際には、高圧ガス開閉弁ＳＶ１ａを閉止し、かつ、低圧ガス開閉弁ＳＶ２ａを開けた状態にして、液冷媒連絡配管７９１を通じて液接続管７９１ａに流入する冷媒を室内側冷媒回路７８ａの室内側膨張弁ＥＶ１ａに送り、室内側膨張弁ＥＶ１ａで減圧され室内熱交換器７７１ａにおいて蒸発された後に、合流ガス接続管７９４ａおよび低圧ガス接続管７９２ａを通じて低圧ガス冷媒連絡配管７９２に戻すように機能することができる。また、接続ユニット７９ａは、室内ユニット７７ａが暖房運転を行う際には、低圧ガス開閉弁ＳＶ２ａを閉止し、かつ、高圧ガス開閉弁ＳＶ１ａを開けた状態にして、高圧ガス冷媒連絡配管７９３を通じて高圧ガス接続管７９３ａおよび合流ガス接続管７９４ａに流入する冷媒を室内側冷媒回路７８ａの室内熱交換器７７１ａのガス側に送り、室内熱交換器７７１ａにおいて凝縮され室内側膨張弁ＥＶ１ａで減圧された後に、液接続管７９１ａを通じて液冷媒連絡配管７９１に戻すように機能することができる。また、接続ユニット７９ｄは、氷蓄熱ユニット７４が温蓄熱運転（後述）を行う際には、低圧ガス開閉弁ＳＶ２ｄを閉止し、かつ、高圧ガス開閉弁ＳＶ１ｄを開けた状態にして、高圧ガス冷媒連絡配管７９３を通じて高圧ガス接続管７９３ｄおよび合流ガス接続管７９４ｄに流入する冷媒を蓄熱冷媒回路７５の蓄熱用熱交換器７４１のガス側に送り、蓄熱用熱交換器７４１において凝縮され（この際に蓄熱用水に温熱が主に顕熱として蓄積される）蓄熱用膨張弁ＥＶ２で減圧された後に、液ライン７５ａを通じて液冷媒連絡配管７９８に戻すように機能することができる（なお、この場合、蓄熱冷媒回路７５において、第３開閉弁ＳＶ３および第４開閉弁ＳＶ４は閉止された状態とされる）。また、接続ユニット７９ｄは、本空気調和装置７がデフロスト運転（後述）を行う際には、高圧ガス開閉弁ＳＶ１ｄを閉止し、かつ、低圧ガス開閉弁ＳＶ２ｄを開けた状態にして、液冷媒連絡配管７９８を通じて蓄熱冷媒回路７５の第２液ライン７６ｂに流入する冷媒を蓄熱用膨張弁ＥＶ２に送り、蓄熱用膨張弁ＥＶ２で減圧され蓄熱用熱交換器７４１において蒸発された後に（この際に蓄熱用水から温熱が放出される）、合流ガス接続管７９４ｄおよび低圧ガス接続管７９２ｄを通じて低圧ガス冷媒連絡配管７９２に戻すように機能することができる（なお、この場合、蓄熱冷媒回路７５において、第３開閉弁ＳＶ３は開けた状態とされ、第４開閉弁ＳＶ４は閉止された状態とされる）。また、接続ユニット７９ｄは、氷蓄熱ユニット７４が氷蓄熱運転（後述）を行う際には、高圧ガス開閉弁ＳＶ１ｄを閉止し、かつ、低圧ガス開閉弁ＳＶ２ｄを開けた状態にして、液冷媒連絡配管７９８を通じて蓄熱冷媒回路７５の第２液ライン７６ｂに流入する冷媒を蓄熱用膨張弁ＥＶ２に送り、蓄熱用膨張弁ＥＶ２で減圧され蓄熱用熱交換器７４１において蒸発された後に（この際に蓄熱用水に冷熱が主に潜熱として蓄積される）、合流ガス接続管７９４ｄおよび低圧ガス接続管７９２ｄを通じて低圧ガス冷媒連絡配管７９２に戻すように機能することができる（なお、この場合、蓄熱冷媒回路７５において、第３開閉弁ＳＶ３は開けた状態とされ、第４開閉弁ＳＶ４は閉止された状態とされる）。また、接続ユニット７９ｄは、本空気調和装置７が第１氷蓄熱利用冷房運転（後述）を行う際には、低圧ガス開閉弁ＳＶ２ｄを閉止し、かつ、高圧ガス開閉弁ＳＶ１ｄを開けた状態にして、高圧ガス冷媒連絡配管７９３を通じて高圧ガス接続管７９３ｄおよび合流ガス接続管７９４ｄに流入する冷媒を蓄熱冷媒回路７５の蓄熱用熱交換器７４１のガス側に送り、蓄熱用熱交換器７４１において凝縮され（この際に蓄熱用水から冷熱が放出される）、蓄熱用膨張弁ＥＶ２および液接続管７９１ｄを通じて液冷媒連絡配管７９１に移るように機能することができる（なお、この場合、蓄熱冷媒回路７５において、第３開閉弁ＳＶ３は開けた状態とされ、第４開閉弁ＳＶ４は閉止された状態とされる）。また、接続ユニット７９ｄは、本空気調和装置７が第２氷蓄熱利用冷房運転（後述）を行う際には、高圧ガス開閉弁ＳＶ１ｄおよび低圧ガス開閉弁ＳＶ２ｄを閉止した状態にして、液冷媒連絡配管７９８を通じて蓄熱冷媒回路７５の利用ライン７５ｃに流入する冷媒を蓄熱用熱交換器７４１のガス側に送り、蓄熱用熱交換器７４１において凝縮され又はさらに冷却され（この際に蓄熱用水から冷熱が放出される）、蓄熱用膨張弁ＥＶ２および液接続管７９１ｄを通じて液冷媒連絡配管７９１に移るように機能することができる（なお、この場合、蓄熱冷媒回路７５において、第３開閉弁ＳＶ３は閉止された状態とされ、第４開閉弁ＳＶ４は開けた状態とされる）。
【００８９】
また、接続ユニット７９ａ，７９ｄは、接続ユニット７９ａ，７９ｄを構成する各部の動作を制御する接続側制御部（図示せず）を備えている。そして、接続側制御部は、接続ユニット７９ａ，７９ｄの制御を行うために設けられたマイクロコンピュータやメモリを有しており、室内ユニット７７ａの室内側制御部および氷蓄熱ユニット７４の氷蓄熱制御部との間で制御信号等のやりとりを行うことができるようになっている。
【００９０】
以上のように、室内側冷媒回路７８ａ，７８ｂ，７８ｃ、蓄熱冷媒回路７５、室外側冷媒回路７ａ、冷媒連絡配管７９１，７９２，７９３，７９８、および接続側冷媒回路７９９ａ，７９９ｂ，７９９ｃ，７９９ｄが接続されて、空気調和装置７の冷媒回路７０が構成されている。そして、本実施形態の空気調和装置７では、例えば、室内ユニット７７ａ，７７ｂが冷房運転を行いつつ、室内ユニット７７ｃが暖房運転を行う等の、いわゆる、冷暖同時運転を行うことが可能になっている。
【００９１】
［空気調和装置の動作］
次に、本実施形態の空気調和装置７の動作について説明する。
本実施形態の空気調和装置７の運転は、氷蓄熱ユニット７４を利用しない氷蓄熱ユニット非利用運転と氷蓄熱ユニット７４を利用する氷蓄熱ユニット利用運転とに大別される。以下、氷蓄熱ユニット非利用運転と氷蓄熱ユニット利用運転とに分けて本空気調和装置７の運転について説明する。
【００９２】
（１）氷蓄熱ユニット非利用運転
氷蓄熱ユニット非利用運転は、各室内ユニット７７ａ，７７ｂ，７７ｃの空調負荷に応じて、室内ユニット７７ａ，７７ｂ，７７ｃの全て暖房運転を行う暖房運転、室内ユニット７７ａ，７７ｂ，７７ｃの全てが冷房運転を行う冷房運転、および室内ユニット７７ａ，７７ｂ，７７ｃの一部が冷房運転を行いつつ他の室内ユニットが暖房運転を行う冷暖房同時運転にさらに分けることができる。また、冷暖同時運転については、室内ユニット７７ａ，７７ｂ，７７ｃ全体の空調負荷により、室外ユニット７１の室外熱交換器７１２を蒸発器として機能させて運転している場合（蒸発運転状態）と、室外ユニット７１の室外熱交換器７１２を凝縮器として機能させて運転している場合（凝縮運転状態）とに分けることができる。なお、本空気調和装置７が氷蓄熱ユニット非利用運転を行う場合は、接続ユニット７９ｄの高圧ガス開閉弁ＳＶ１ｄおよび低圧ガス開閉弁ＳＶ２ｄはともに閉止された状態とされる。また、氷蓄熱ユニット７４の蓄熱用膨張弁ＥＶ２は全開状態とされ、第４開閉弁ＳＶ４は閉止された状態とされる。また、氷蓄熱ユニット７４の第３開閉弁ＳＶ３は、冷房運転時および冷暖同時運転（凝縮運転状態）時には開けた状態とされ、暖房運転時および冷暖同時運転（蒸発運転状態）時には閉止された状態とされる。
【００９３】
（Ａ）暖房運転
暖房運転時は、四路切換弁７１３が図２の破線で示される状態に切り換えられることによって、室外熱交換器７１２が蒸発器として機能するとともに、高圧ガス冷媒連絡配管７９３を通じて室内ユニット７７ａ，７７ｂ，７７ｃに圧縮機７１１において圧縮され吐出された高圧のガス冷媒が供給されるようになる。接続ユニット７９ａ，７９ｂ，７９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット７７ａ，７７ｂ，７７ｃの室内熱交換器７７１ａ，７７１ｂ，７７１ｃが凝縮器として機能する状態になる。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【００９４】
このような冷媒回路７０の構成において、圧縮機７１１で圧縮され吐出された高圧のガス冷媒は、高圧ガス側閉鎖弁７３３を通じて、高圧ガス冷媒連絡配管７９３に送られる。
そして、高圧ガス冷媒連絡配管７９３に送られた高圧のガス冷媒は、３つに分岐されて、各接続ユニット７９ａ，７９ｂ，７９ｃの高圧ガス接続管７９３ａ，７９３ｂ，７９３ｃに送られる。接続ユニット７９ａ，７９ｂ，７９ｃの高圧ガス接続管７９３ａ，７９３ｂ，７９３ｃに送られた高圧のガス冷媒は、高圧ガス開閉弁ＳＶ１ａ，ＳＶ１ｂ，ＳＶ１ｃおよび合流ガス接続管７９４ａ，７９４ｂ，７９４ｃを通じて、室内ユニット７７ａ，７７ｂ，７７ｃの室内熱交換器７７１ａ，７７１ｂ，７７１ｃに送られる。
【００９５】
そして、室内熱交換器７７１ａ，７７１ｂ，７７１ｃに送られた高圧のガス冷媒は、室内ユニット７７ａ，７７ｂ，７７ｃの室内熱交換器７７１ａ，７７１ｂ，７７１ｃにおいて、屋内空気と熱交換を行うことによって凝縮される。一方、屋内の空気は、加熱されて屋内に供給される。室内熱交換器７７１ａ，７７１ｂ，７７１ｃにおいて凝縮された冷媒は、室内側膨張弁ＥＶ１ａ，Ｅｖ１ｂ，ＥＶ１ｃを通過した後、接続ユニット７９ａ，７９ｂ，７９ｃの液接続管７９１ａ，７９１ｂ，７９１ｃに送られる。
【００９６】
そして、液接続管７９１ａ，７９１ｂ，７９１ｃに送られた冷媒は、液冷媒連絡配管７９１に送られて合流する。
そして、液冷媒連絡配管７９１に送られて合流した冷媒は、接続ユニット７９ｄの液接続管７９１ｄ、蓄熱冷媒回路７５の液ライン７５ａ、液冷媒連絡配管７９８、および室外ユニット７１の液側閉鎖弁７３１を通じて、室外熱交換器７１２に送られ、室外熱交換器７１２において蒸発されて低圧のガス冷媒になる。このガス冷媒は、四路切換弁７１３および気液分離器７１４を経由して、圧縮機７１１の吸入側に戻される。このようにして、暖房運転が行われる。
【００９７】
（Ｂ）冷房運転
冷房運転時は、四路切換弁７１３が図２の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット７７ａ，７７ｂ，７７ｃの室内熱交換器７７１ａ，７７１ｂ，７７１ｃが蒸発器として機能するとともに、室内ユニット７７ａ，７７ｂ，７７ｃの室内熱交換器７７１ａ，７７１ｂ，７７１ｃと室外ユニット７１の圧縮機７１１の吸入側とが低圧ガス冷媒連絡配管７９２を介して接続された状態になっている。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。
【００９８】
このような冷媒回路７０の構成において、圧縮機７１１で圧縮され吐出された高圧のガス冷媒は、四路切換弁７１３を通じて、室外熱交換器７１２に送られる。そして、室外熱交換器７１２に送られた高圧のガス冷媒は、室外熱交換器７１２において凝縮され液冷媒となる。その液冷媒は、液側閉鎖弁７３１、液冷媒連絡配管７９８、蓄熱冷媒回路７５の液ライン７５ａ、接続ユニット７９ｄの液接続管７９１ｄを通じて、液冷媒連絡配管７９１に送られる。
【００９９】
そして、液冷媒連絡配管７９１に送られた液冷媒は、３つに分岐されて、各接続ユニット７９ａ，７９ｂ，７９ｃの液接続管７９１ａ，７９１ｂ，７９１ｃに送られる。そして、接続ユニット７９ａ，７９ｂ，７９ｃの液接続管７９１ａ，７９１ｂ，７９１ｃに送られた冷媒は、室内ユニット７７ａ，７７ｂ，７７ｃの室内側膨張弁ＥＶ１ａ，Ｅｖ１ｂ，ＥＶ１ｃに送られる。
【０１００】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器７７１ａ，７７１ｂ，７７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂ，７９ｃの合流ガス接続管７９４ａ，７９４ｂ，７９４ｃに送られる。
【０１０１】
そして、合流ガス接続管７９４ａ，７９４ｂ，７９４ｃに送られた低圧のガス冷媒は、低圧ガス開閉弁ＳＶ２ａ，ＳＶ２ｂ，ＳＶ２ｃおよび低圧ガス接続管７９２ａ，７９２ｂ，７９２ｃを通じて、低圧ガス冷媒連絡配管７９２に送られて合流する。
そして、低圧ガス冷媒連絡配管７９２に送られて合流した低圧のガス冷媒は、低圧ガス側閉鎖弁７３２および気液分離器７１４を経由して、圧縮機７１１の吸入側に戻される。このようにして、冷房運転が行われる。
【０１０２】
（Ｃ）冷暖同時運転（蒸発負荷）
室内ユニット７７ａ，７７ｂ，７７ｃのうち、例えば、室内ユニット７７ａを冷房運転し、かつ、室内ユニット７７ｂ，７７ｃを暖房運転する冷暖同時運転モードであって、室内ユニット７７ａ，７７ｂ，７７ｃ全体の空調負荷に応じて、室外ユニット７１の室外熱交換器７１２を蒸発器として機能させる運転（蒸発運転）について説明する。この際、上述の暖房運転モードと同様に、四路切換弁７１３が図２の破線で示される状態に切り換えられることによって、室外熱交換器７１２が蒸発器として機能するとともに、高圧ガス冷媒連絡配管７９３を通じて室内ユニット７７ｂ，７７ｃに圧縮機７１１において圧縮され吐出された高圧のガス冷媒が供給されるようになる。接続ユニット７９ａにおいては、高圧ガス開閉弁ＳＶ１ａが閉止するとともに低圧ガス開閉弁ＳＶ２ａが開くことによって、室内ユニット７７ａの室内熱交換器７７１ａを蒸発器として機能させるとともに、室内ユニット７７ａの室内熱交換器７７１ａと室外ユニット７１の圧縮機７１１の吸入側とが低圧ガス冷媒連絡配管７９２を介して接続された状態になっている。室内ユニット７７ａにおいては、室内側膨張弁ＥＶ１ａは、例えば、室内熱交換器７７１ａの過熱度（具体的には、液側温度センサで検出される冷媒温度とガス側温度センサで検出される冷媒温度との温度差）に基づいて開度調節する等、室内ユニットの冷房負荷に応じて開度調節されている。接続ユニット７９ｂ，７９ｃにおいては、低圧ガス開閉弁ＳＶ２ｂ，ＳＶ２ｃが閉止するとともに高圧ガス開閉弁ＳＶ１ｂ，ＳＶ１ｃが開くことによって、室内ユニット７７ｂ，７７ｃの室内熱交換器７７１ｂ，７７１ｃが凝縮器として機能するようになっている。室内ユニット７７ｂ，７７ｃにおいては、室内側膨張弁ＥＶ１ｂ，ＥＶ１ｃは、例えば、室内熱交換器７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【０１０３】
このような冷媒回路７０の構成において、圧縮機７１１で圧縮され吐出された高圧のガス冷媒は、高圧ガス側閉鎖弁７３３を通じて、高圧ガス冷媒連絡配管７９３に送られる。
そして、高圧ガス冷媒連絡配管７９３に送られた高圧のガス冷媒は、２つに分岐されて、各接続ユニット７９ｂ，７９ｃの高圧ガス接続管７９３ｂ，７９３ｃに送られる。接続ユニット７９ｂ，７９ｃの高圧ガス接続管７９３ｂ，７９３ｃに送られた高圧のガス冷媒は、高圧ガス開閉弁ＳＶ１ｂ，ＳＶ１ｃおよび合流ガス接続管７９４ｂ，７９４ｃを通じて室内ユニット７７ｂ，７７ｃの室内熱交換器７７１ｂ，７７１ｃに送られる。
【０１０４】
そして、室内熱交換器７７１ｂ，７７１ｃに送られた高圧のガス冷媒は、室内ユニット７７ｂ，７７ｃの室内熱交換器７７１ｂ，７７１ｃにおいて、屋内空気と熱交換を行うことによって凝縮される。一方、屋内の空気は、加熱されて屋内に供給される。室内熱交換器７７１ｂ，７７１ｃにおいて凝縮された冷媒は、室内側膨張弁ＥＶ１ｂ，ＥＶ１ｃを通過した後、接続ユニット７９ｂ，７９ｃの液接続管７９１ｂ，７９１ｃに送られる。
【０１０５】
そして、液接続管７９１ｂ，７９１ｃに送られた冷媒は、液冷媒連絡配管７９１に送られて合流する。
そして、液冷媒連絡配管７９１に送られて合流した冷媒の一部は、接続ユニット７９ａの液接続管７９１ａに送られる。そして、接続ユニット７９ａの液接続管７９１ａに送られた冷媒は、室内ユニット７７ａの室内側膨張弁ＥＶ１ａに送られる。
【０１０６】
そして、室内側膨張弁ＥＶ１ａに送られた冷媒は、室内側膨張弁ＥＶ１ａによって減圧された後、室内熱交換器７７１ａにおいて、屋内空気と熱交換を行うことによって蒸発されて低圧のガス冷媒となる。一方、屋内の空気は、冷却されて屋内に供給される。そして、低圧のガス冷媒は、接続ユニット７９ａの合流ガス接続管７９４ａに送られる。
そして、合流ガス接続管７９４ａに送られた低圧のガス冷媒は、低圧ガス開閉弁ＳＶ２ａおよび低圧ガス接続管７９２ａを通じて、低圧ガス冷媒連絡配管７９２に送られて合流する。
【０１０７】
そして、低圧ガス冷媒連絡配管７９２に送られた低圧のガス冷媒は、低圧ガス側閉鎖弁７３２および気液分離器７１４を経由して、圧縮機７１１の吸入側に戻される。
一方、液冷媒連絡配管７９１から接続ユニット７９ａおよび室内ユニット７７ａに送られた冷媒を除いた残りの冷媒は、接続ユニット７９ｄの液接続管７９１ｄ、蓄熱冷媒回路７５の液ライン７５ａ、液冷媒連絡配管７９８、および室外ユニット７１の液側閉鎖弁７３１を通じて室外熱交換器７１２に送られ、室外熱交換器７１２において蒸発されて低圧のガス冷媒になる。このガス冷媒は、四路切換弁７１３および気液分離器７１４を経由して、圧縮機構２１の吸入側に戻される。このようにして、冷暖同時運転（蒸発負荷）が行われている。
【０１０８】
（Ｄ）冷暖同時運転（凝縮負荷）
室内ユニット７７ａ，７７ｂ，７７ｃのうち、例えば、室内ユニット７７ａ，７７ｂを冷房運転し、かつ、室内ユニット７７ｃを暖房運転する冷暖同時運転モードであって、室内ユニット７７ａ，７７ｂ，７７ｃ全体の空調負荷に応じて、室外ユニット７１の室外熱交換器７１２を凝縮器として機能させる運転（凝縮運転）について説明する。この際、四路切換弁７１３が図２の実線で示される状態に切り換えられることによって、室外熱交換器７１２が凝縮器として機能するとともに、高圧ガス冷媒連絡配管７９３を通じて室内ユニット７７ｃに圧縮機７１１において圧縮され吐出された高圧のガス冷媒が供給されるようになる。接続ユニット７９ａ，７９ｂにおいては、高圧ガス開閉弁ＳＶ１ａ，ＳＶ１ｂが閉止するとともに低圧ガス開閉弁ＳＶ２ａ，ＳＶ２ｂが開くことによって、室内ユニット７７ａ，７７ｂの室内熱交換器７７１ａ，７７１ｂが蒸発器として機能するとともに、室内ユニット７７ａ，７７ｂの室内熱交換器７７１ａ，７７１ｂと室外ユニット７１の圧縮機７１１の吸入側とが低圧ガス冷媒連絡配管７９２を介して接続された状態になっている。室内ユニット７７ａ，７７ｂにおいては、室内側膨張弁ＥＶ１ａ，ＥＶ１ｂは、例えば、室内熱交換器７７１ａ，７７１ｂの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット７９ｃにおいては、低圧ガス開閉弁ＳＶ２ｃが閉止するとともに高圧ガス開閉弁ＳＶ１ｃが開くことによって、室内ユニット７７ｃの室内熱交換器７７１ｃが凝縮器として機能するようにしている。室内ユニット７７ｃにおいては、室内側膨張弁ＥＶ１ｃは、例えば、室内熱交換器７７１ｃの過冷却度（具体的には、液側温度センサで検出される冷媒温度とガス側温度センサで検出される冷媒温度との温度差）に基づいて開度調節する等、室内ユニットの暖房負荷に応じて開度調節されている。
【０１０９】
このような冷媒回路７０の構成において、圧縮機７１１で圧縮され吐出された高圧のガス冷媒は、四路切換弁７１３を通じて室外熱交換器７１２に送られるとともに、高圧ガス側閉鎖弁７３３を通じて高圧ガス冷媒連絡配管７９３にも送られる。
室外熱交換器７１２に送られた高圧のガス冷媒は、室外熱交換器７１２において凝縮され、液冷媒となる。そして、その液冷媒は、液側閉鎖弁７３１、液冷媒連絡配管７９８、蓄熱冷媒回路７５の液ライン７５ａ、接続ユニット７９ｄの液接続管７９１ｄを通じて、液冷媒連絡配管７９１に送られる。
【０１１０】
また、高圧ガス冷媒連絡配管７９３に送られた高圧のガス冷媒は、接続ユニット７９ｃの高圧ガス接続管７９３ｃに送られる。接続ユニット７９ｃの高圧ガス接続管７９３ｃに送られた高圧のガス冷媒は、高圧ガス開閉弁ＳＶ１ｃおよび合流ガス接続管７９４ｃを通じて室内ユニット７７ｃの室内熱交換器７７１ｃに送られる。
そして、室内熱交換器７７１ｃに送られた高圧のガス冷媒は、室内ユニット７７ｃの室内熱交換器７７１ｃにおいて、屋内空気と熱交換を行うことによって凝縮される。一方、屋内の空気は、加熱されて屋内に供給される。室内熱交換器７７１ｃにおいて凝縮された冷媒は、室内側膨張弁ＥＶ１ｃを通過した後、接続ユニット７９ｃの液接続管７９１ｃに送られる。
【０１１１】
そして、液接続管７９１ｃに送られた冷媒は、液冷媒連絡配管７９１に送られて、液側閉鎖弁７３１、液冷媒連絡配管７９８、蓄熱冷媒回路７５の液ライン７５ａ、接続ユニット７９ｄの液接続管７９１ｄを通じて液冷媒連絡配管７９１に送られた冷媒に合流される。
そして、この液冷媒連絡配管７９１を流れる冷媒は、２つに分岐されて、各接続ユニット７９ａ，７９ｂの液接続管７９１ａ，７９１ｂに送られる。そして、接続ユニット７９ａ，７９ｂの液接続管７９１ａ，７９１ｂに送られた冷媒は、室内ユニット７７ａ，７７ｂの室内側膨張弁ＥＶ１ａ，ＥＶ１ｂに送られる。
【０１１２】
そして、室内側膨張弁ＥＶ１ａ，ＥＶ１ｂに送られた冷媒は、室内側膨張弁ＥＶ１ａ，ＥＶ１ｂによって減圧された後、室内熱交換器７７１ａ，７７１ｂにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂの合流ガス接続管７９４ａ，７９４ｂに送られる。
【０１１３】
そして、合流ガス接続管７９４ａ，７９４ｂに送られた低圧のガス冷媒は、低圧ガス開閉弁ＳＶ２ａ，ＳＶ２ｂおよび低圧ガス接続管７９２ａ，７９２ｂを通じて、低圧ガス冷媒連絡配管７９２に送られて合流する。
そして、低圧ガス冷媒連絡配管７９２に送られた低圧のガス冷媒は、低圧ガス側閉鎖弁７３２および気液分離器７１４を経由して、圧縮機７１１の吸入側に戻される。このようにして、冷暖同時運転（凝縮負荷）が行われている。
【０１１４】
（２）氷蓄熱ユニット利用運転
氷蓄熱ユニット利用運転は、蓄熱用水に温熱を蓄積させる温蓄熱運転、温蓄熱運転により蓄熱用水に蓄積された温熱を利用して個々の室内機７７ａ，７７ｂ，７７ｃの運転状態を維持したまま室外熱交換器７１２のデフロストを行うデフロスト運転、蓄熱用水に冷熱を蓄積させる氷蓄熱運転、ならびに氷蓄熱運転により蓄熱用水に蓄積された冷熱を利用して電力ピークを調節するための第１氷蓄熱利用運転（電力ピークカット運転）および第２氷蓄熱利用運転（電力ピークシフト運転）にさらに分けることができる。これらの運転のうち、温蓄熱運転およびデフロスト運転は、主に、複数の室内ユニット７７ａ，７７ｂ，７７ｃのほとんど又は全てが暖房運転される状況（つまり、室外熱交換器７１２に高い蒸発負荷がかかる状況）において利用される。このため、温蓄熱運転およびデフロスト運転については、室内ユニット７７ａ，７７ｂ，７７ｃの全てが暖房運転している状況を代表にとって説明を行う。また、氷蓄熱運転は、主に、深夜など、室内ユニット７７ａ，７７ｂ，７７ｃが停止されている状況で行われる。このため、氷蓄熱運転については、室内ユニット７７ａ，７７ｂ，７７ｃの全てが停止している状況を代表にとって説明を行う。また、第１氷蓄熱利用運転および第２氷蓄熱利用運転は、主に、複数の室内ユニット７７ａ，７７ｂ，７７ｃのほとんど又は全てが冷房運転される状況（つまり、室外熱交換器７１２に高い凝縮負荷がかかる状況）において利用される。このため、第１氷蓄熱利用運転および第２氷蓄熱利用運転については、室内ユニット７７ａ，７７ｂ，７７ｃの全てが冷房運転している状況を代表にとって説明を行う。
【０１１５】
（Ａ）温蓄熱運転
温蓄熱運転時は、四路切換弁７１３が図２の破線で示される状態に切り換えられることによって、室外熱交換器７１２が蒸発器として機能するとともに、高圧ガス冷媒連絡配管７９３を通じて室内ユニット７７ａ，７７ｂ，７７ｃおよび蓄熱ユニット７４に圧縮機７１１において圧縮され吐出された高圧のガス冷媒が供給されるようになる。接続ユニット７９ａ，７９ｂ，７９ｃ，７９ｄにおいては、低圧ガス開閉弁ＳＶ２ａ，ＳＶ２ｂ，ＳＶ２ｃ，ＳＶ２ｄが閉止するとともに高圧ガス開閉弁ＳＶ１ａ，ＳＶ１ｂ，ＳＶ１ｃ，ＳＶ１ｄが開くことによって、室内ユニット７７ａ，７７ｂ，７７ｃの室内熱交換器７７１ａ，７７１ｂ，７７１ｃおよび蓄熱ユニット７４の蓄熱用熱交換器７４１が凝縮器として機能する状態になる。室内ユニット７７ａ，７７ｂ，７７ｃにおいては、室内側膨張弁ＥＶ１ａ，Ｅｖ１ｂ，ＥＶ１ｃが、例えば、室内熱交換器７７１ａ，７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット７４においては、第３開閉弁ＳＶ３および第４開閉弁ＳＶ４が閉止された状態とされ、蓄熱用膨張弁ＥＶ２が例えば蓄熱用熱交換器７４１の過冷却度（具体的には、液側温度センサで検出される冷媒温度とガス側温度センサで検出される冷媒温度との温度差）に基づいて開度調節する等されている。
【０１１６】
このような冷媒回路７０の構成において、圧縮機７１１で圧縮され吐出された高圧のガス冷媒は、高圧ガス側閉鎖弁７３３を通じて、高圧ガス冷媒連絡配管７９３に送られる。
そして、高圧ガス冷媒連絡配管７９３に送られた高圧のガス冷媒は、４つに分岐されて、各接続ユニット７９ａ，７９ｂ，７９ｃ，７９ｄの高圧ガス接続管７９３ａ，７９３ｂ，７９３ｃ，７９３ｄに送られる。接続ユニット７９ａ，７９ｂ，７９ｃ，７９ｄの高圧ガス接続管７９３ａ，７９３ｂ，７９３ｃ，７９３ｄに送られた高圧のガス冷媒は、高圧ガス開閉弁ＳＶ１ａ，ＳＶ１ｂ，ＳＶ１ｃ，ＳＶ１ｄおよび合流ガス接続管７９４ａ，７９４ｂ，７９４ｃ，７９４ｄを通じて、室内ユニット７７ａ，７７ｂ，７７ｃの室内熱交換器７７１ａ，７７１ｂ，７７１ｃおよび蓄熱ユニット７４の蓄熱用熱交換器７４１に送られる。
【０１１７】
そして、室内熱交換器７７１ａ，７７１ｂ，７７１ｃに送られた高圧のガス冷媒は、室内ユニット７７ａ，７７ｂ，７７ｃの室内熱交換器７７１ａ，７７１ｂ，７７１ｃにおいて、屋内空気と熱交換を行うことによって凝縮される。一方、屋内の空気は、加熱されて屋内に供給される。室内熱交換器７７１ａ，７７１ｂ，７７１ｃにおいて凝縮された冷媒は、室内側膨張弁ＥＶ１ａ，Ｅｖ１ｂ，ＥＶ１ｃおよび接続ユニット７９ａ，７９ｂ，７９ｃの液接続管７９１ａ，７９１ｂ，７９１ｃを通過した後、液冷媒連絡配管７９１に送られて合流する。
【０１１８】
一方、蓄熱用熱交換器７４１に送られた高圧のガス冷媒は、蓄熱ユニット７４の蓄熱用熱交換器７４１において、蓄熱槽７４２に貯留される蓄熱材を加熱するとともに凝縮される。この際、蓄熱材は、固相から液相に相転移し、ガス冷媒から供給される温熱を主に潜熱として蓄積する。蓄熱用熱交換器７４１において凝縮された冷媒は、蓄熱用膨張弁ＥＶ２を通過した後、蓄熱冷媒回路７５の第２液ライン７６ｂに送られる。
【０１１９】
そして、液冷媒連絡配管７９１に送られて合流した冷媒は、蓄熱冷媒回路７５の第２液ライン７６ｂに送られて蓄熱用熱交換器７４１において凝縮された冷媒と合流する。
そして、蓄熱冷媒回路７５の第２液ライン７６ｂにおいて合流した冷媒は、蓄熱冷媒回路７５の第１液ライン７６ａ、液冷媒連絡配管７９８、および室外ユニット７１の液側閉鎖弁７３１を通じて、室外熱交換器７１２に送られ、室外熱交換器７１２において蒸発されて低圧のガス冷媒になる。このガス冷媒は、四路切換弁７１３および気液分離器７１４を経由して、圧縮機７１１の吸入側に戻される。このようにして、温蓄熱運転が行われる。
【０１２０】
（Ｂ）デフロスト運転
デフロスト運転時は、四路切換弁７１３が図２の実線で示される状態に切り換えられることによって、室外熱交換器７１２が凝縮器として機能するとともに、高圧ガス冷媒連絡配管７９３を通じて室内ユニット７７ｃに圧縮機７１１において圧縮され吐出された高圧のガス冷媒が供給されるようになる。接続ユニット７９ａ，７９ｂ，７９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット７７ａ，７７ｂ，７７ｃの室内熱交換器７７１ａ，７７１ｂ，７７１ｃが凝縮器として機能するようにしている。一方、接続ユニット７９ｄにおいては、高圧ガス開閉弁ＳＶ１ｄが閉止するとともに低圧ガス開閉弁ＳＶ２ｄが開くことによって、蓄熱ユニット７４の蓄熱用熱交換器７４１が蒸発器として機能するとともに、蓄熱ユニット７４の蓄熱用熱交換器７４１と室外ユニット７１の圧縮機７１１の吸入側とが低圧ガス冷媒連絡配管７９２を介して接続された状態になっている。なお、この際、蓄熱材には、所定期間（例えば、１０分間）、全ての室内ユニット７７ａ，７７ｂ，７７ｃにおける最大凝縮負荷の総和を相殺する以上の蒸発負荷を蓄熱用熱交換器７１２に与えるだけの温熱が蓄積されている。室内ユニット７７ａ，７７ｂ，７７ｃにおいては、室内側膨張弁ＥＶ１ａ，Ｅｖ１ｂ，ＥＶ１ｃが、例えば、室内熱交換器７７１ａ，７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット７４においては、第３開閉弁ＳＶ３が開けた状態とされ、第４開閉弁ＳＶ４が閉止された状態とされ、蓄熱用膨張弁ＥＶ２が例えば蓄熱用熱交換器７４１の過熱度（具体的には、液側温度センサで検出される冷媒温度とガス側温度センサで検出される冷媒温度との温度差）に基づいて開度調節する等されている。
【０１２１】
このような冷媒回路７０の構成において、圧縮機７１１で圧縮され吐出された高圧のガス冷媒は、四路切換弁７１３を通じて室外熱交換器７１２に送られるとともに、高圧ガス側閉鎖弁７３３を通じて高圧ガス冷媒連絡配管７９３にも送られる。
室外熱交換器７１２に送られた高圧のガス冷媒は、室外熱交換器７１２の外表面に付着している霜を融解するとともに凝縮されて液冷媒となる。そして、その液冷媒は、液側閉鎖弁７３１および液冷媒連絡配管７９８を通じて、蓄熱冷媒回路７５の第２液ライン７６ｂに送られる。
【０１２２】
また、高圧ガス冷媒連絡配管７９３に送られた高圧のガス冷媒は、接続ユニット７９ａ，７９ｂ，７９ｃの高圧ガス接続管７９３ａ，７９３ｂ，７９３ｃに送られる。接続ユニット７９ａ，７９ｂ，７９ｃの高圧ガス接続管７９３ａ，７９３ｂ，７９３ｃに送られた高圧のガス冷媒は、高圧ガス開閉弁ＳＶ１ａ，ＳＶ１ｂ，ＳＶ１ｃおよび合流ガス接続管７９４ａ，７９４ｂ，７９４ｃを通じて室内ユニット７７ａ，７７ｂ，７７ｃの室内熱交換器７７１ａ，７７１ｂ，７７１ｃに送られる。
【０１２３】
そして、室内熱交換器７７１ａ，７７１ｂ，７７１ｃに送られた高圧のガス冷媒は、室内ユニット７７ａ，７７ｂ，７７ｃの室内熱交換器７７１ａ，７７１ｂ，７７１ｃにおいて、屋内空気と熱交換を行うことによって凝縮される。一方、屋内の空気は、加熱されて屋内に供給される。室内熱交換器７７１ａ，７７１ｂ，７７１ｃにおいて凝縮された冷媒は、室内側膨張弁ＥＶ１ａ，ＥＶ１ｂ，ＥＶ１ｃを通過した後、接続ユニット７９ａ，７９ｂ，７９ｃの液接続管７９１ａ，７９１ｂ，７９１ｃに送られる。
【０１２４】
そして、液接続管７９１ａ，７９１ｂ，７９１ｃに送られた冷媒は、液冷媒連絡配管７９１を通じて蓄熱冷媒回路７５の第２液ライン７６ｂに送られ、液側閉鎖弁７３１および液冷媒連絡配管７９８を通じて蓄熱冷媒回路７５の第２液ライン７６ｂに送られた冷媒に合流される。
そして、この蓄熱冷媒回路７５の第２液ライン７６ｂを流れる冷媒は、蓄熱用膨張弁ＥＶ２に送られる。
【０１２５】
そして、蓄熱用膨張弁ＥＶ２に送られた冷媒は、蓄熱用膨張弁ＥＶ２によって減圧された後、蓄熱用熱交換器７４１において、蓄熱材に蓄積されている温熱によって蒸発されて低圧のガス冷媒となる。この際、蓄熱材は、蓄熱していた温熱を徐々に放出していき、その温度が凝固点に達すると（潜熱分を使い切ると）、液相から固相に相転移することとなる。そして、低圧のガス冷媒は、接続ユニット７９ｄの合流ガス接続管７９４ｄに送られる。
【０１２６】
そして、合流ガス接続管７９４ｄに送られた低圧のガス冷媒は、低圧ガス開閉弁ＳＶ２ｄおよび低圧ガス接続管７９２ｄを通じて、低圧ガス冷媒連絡配管７９２に送られて合流する。
そして、低圧ガス冷媒連絡配管７９２に送られた低圧のガス冷媒は、低圧ガス側閉鎖弁７３２および気液分離器７１４を経由して、圧縮機７１１の吸入側に戻される。
【０１２７】
なお、このデフロスト運転は、室外熱交換器７１２の外表面の温度や外気温などのパラメータに基づいて切り換わるようなっている。
（Ｃ）氷蓄熱運転
氷蓄熱運転時は、四路切換弁７１３が図２の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃ，ＳＶ１ｄおよび低圧ガス開閉弁ＳＶ２ａ，ＳＶ２ｂ，ＳＶ２ｃが閉止され、低圧ガス開閉弁ＳＶ２ｄが開くことによって、氷蓄熱ユニット７４の蓄熱用熱交換器７４１が蒸発器として機能するとともに、氷蓄熱ユニット７４の蓄熱用熱交換器７４１と室外ユニット７１の圧縮機７１１の吸入側とが低圧ガス冷媒連絡配管７９２を介して接続された状態になっている。氷蓄熱ユニット７４においては、第３開閉弁ＳＶ３が開けた状態とされ、第４開閉弁ＳＶ４が閉止された状態とされ、蓄熱用膨張弁ＥＶ２が例えば蓄熱用熱交換器７４１の過熱度（具体的には、液側温度センサで検出される冷媒温度とガス側温度センサで検出される冷媒温度との温度差）に基づいて開度調節する等されている。
【０１２８】
このような冷媒回路７０の構成において、圧縮機７１１で圧縮され吐出された高圧のガス冷媒は、四路切換弁７１３を通じて、室外熱交換器７１２に送られる。そして、室外熱交換器７１２に送られた高圧のガス冷媒は、室外熱交換器７１２において凝縮され液冷媒となる。その液冷媒は、液側閉鎖弁７３１、液冷媒連絡配管７９８、および蓄熱冷媒回路７５の第２液ライン７６ｂを通じて、蓄熱用膨張弁ＥＶ２に送られる。
【０１２９】
そして、蓄熱用膨張弁ＥＶ２に送られた液冷媒は、蓄熱用膨張弁ＥＶ２によって減圧された後、蓄熱用熱交換器７４１において、蓄熱用水を冷却するとともに蒸発されてガス冷媒となる。この際、蓄熱用水は、液相から固相に相転移し、液冷媒から供給される冷熱を主に潜熱として蓄積する。そして、低圧のガス冷媒は、接続ユニット７９ｄの合流ガス接続管７９４ｄに送られる。
【０１３０】
そして、合流ガス接続管７９４ｄに送られた低圧のガス冷媒は、低圧ガス開閉弁ＳＶ２ｄおよび低圧ガス接続管７９２ｄを通じて、低圧ガス冷媒連絡配管７９２に送られる。
そして、低圧ガス冷媒連絡配管７９２に送られた低圧のガス冷媒は、低圧ガス側閉鎖弁７３２および気液分離器７１４を経由して、圧縮機７１１の吸入側に戻される。このようにして、氷蓄熱運転が行われる。
【０１３１】
（Ｄ）第１氷蓄熱利用運転（電力ピークカット運転）
第１氷蓄熱利用運転時は、四路切換弁７１３が図２の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット７７ａ，７７ｂ，７７ｃの室内熱交換器７７１ａ，７７１ｂ，７７１ｃが蒸発器として機能するとともに、室内ユニット７７ａ，７７ｂ，７７ｃの室内熱交換器７７１ａ，７７１ｂ，７７１ｃと室外ユニット７１の圧縮機７１１の吸入側とが低圧ガス冷媒連絡配管７９２を介して接続された状態になっている。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット７９ｄにおいては、低圧ガス開閉弁ＳＶ２ｄが閉止するとともに高圧ガス開閉弁ＳＶ１ｄが開くことによって、氷蓄熱ユニット７４の蓄熱用熱交換器７４１が凝縮器として機能するようにしている。氷蓄熱ユニット７４においては、第３開閉弁ＳＶ３が開けた状態とされ、第４開閉弁ＳＶ４が閉止された状態とされ、蓄熱用膨張弁ＥＶ２が全開状態とされる。
【０１３２】
このような冷媒回路７０の構成において、圧縮機７１１で圧縮され吐出された高圧のガス冷媒は、四路切換弁７１３を通じて、室外熱交換器７１２に送られるとともに、高圧ガス側閉鎖弁７３３を通じて高圧ガス冷媒連絡配管７９３にも送られる。
室外熱交換器７１２に送られた高圧のガス冷媒は、室外熱交換器７１２において凝縮され、液冷媒となる。そして、その液冷媒は、液側閉鎖弁７３１、液冷媒連絡配管７９８、および第１液ライン７６ａを通じて、蓄熱冷媒回路７５の第２液ライン７６ｂに送られる。
【０１３３】
また、高圧ガス冷媒連絡配管７９３に送られた高圧のガス冷媒は、接続ユニット７９ｄの高圧ガス接続管７９３ｄに送られる。接続ユニット７９ｄの高圧ガス接続管７９３ｄに送られた高圧のガス冷媒は、高圧ガス開閉弁ＳＶ１ｄおよび合流ガス接続管７９４ｄを通じて氷蓄熱ユニット７４の蓄熱用熱交換器７４１に送られる。
そして、蓄熱用熱交換器７４１に送られた高圧のガス冷媒は、氷蓄熱ユニット７４の蓄熱用熱交換器７４１において、蓄熱用水に蓄積された冷熱により凝縮されて液冷媒となる。蓄熱用熱交換器７４１において凝縮された冷媒は、蓄熱用膨張弁ＥＶ２を通過した後、第２液ライン７６ｂに送られる。
【０１３４】
そして、第２液ライン７６ｂに送られた冷媒は、液側閉鎖弁７３１、液冷媒連絡配管７９８、および第１液ライン７６ａを通じて第２液ライン７６ｂに送られた冷媒に合流される。
そして、第２液ライン７６ｂに送られて合流した冷媒は、接続ユニット７９ｄの液接続管７９１ｄを通じて、液冷媒連絡配管７９１に送られる。
【０１３５】
そして、液冷媒連絡配管７９１に送られた液冷媒は、３つに分岐されて、各接続ユニット７９ａ，７９ｂ，７９ｃの液接続管７９１ａ，７９１ｂ，７９１ｃに送られる。そして、接続ユニット７９ａ，７９ｂ，７９ｃの液接続管７９１ａ，７９１ｂ，７９１ｃに送られた冷媒は、室内ユニット７７ａ，７７ｂ，７７ｃの室内側膨張弁ＥＶ１ａ，Ｅｖ１ｂ，ＥＶ１ｃに送られる。
【０１３６】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器７７１ａ，７７１ｂ，７７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂ，７９ｃの合流ガス接続管７９４ａ，７９４ｂ，７９４ｃに送られる。
【０１３７】
そして、合流ガス接続管７９４ａ，７９４ｂ，７９４ｃに送られた低圧のガス冷媒は、低圧ガス開閉弁ＳＶ２ａ，ＳＶ２ｂ，ＳＶ２ｃおよび低圧ガス接続管７９２ａ，７９２ｂ，７９２ｃを通じて、低圧ガス冷媒連絡配管７９２に送られて合流する。
そして、低圧ガス冷媒連絡配管７９２に送られて合流した低圧のガス冷媒は、低圧ガス側閉鎖弁７３２および気液分離器７１４を経由して、圧縮機７１１の吸入側に戻される。このようにして、第１氷蓄熱利用運転が行われる。
【０１３８】
（Ｅ）第２氷蓄熱利用運転（電力ピークシフト運転）
第２氷蓄熱利用運転時は、四路切換弁７１３が図２の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット７７ａ，７７ｂ，７７ｃの室内熱交換器７７１ａ，７７１ｂ，７７１ｃが蒸発器として機能するとともに、室内ユニット７７ａ，７７ｂ，７７ｃの室内熱交換器７７１ａ，７７１ｂ，７７１ｃと室外ユニット７１の圧縮機７１１の吸入側とが低圧ガス冷媒連絡配管７９２を介して接続された状態になっている。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット７９ｄにおいては、高圧ガス開閉弁ＳＶ１ｄおよび低圧ガス開閉弁ＳＶ２ｄが閉止する。氷蓄熱ユニット７４においては、第３開閉弁ＳＶ３が閉止された状態とされ、第４開閉弁ＳＶ４が開けた状態とされ、蓄熱用膨張弁ＥＶ２が全開状態とされる。
【０１３９】
このような冷媒回路７０の構成において、圧縮機７１１で圧縮され吐出された高圧のガス冷媒は、四路切換弁７１３を通じて、室外熱交換器７１２に送られる。そして、室外熱交換器７１２に送られた高圧のガス冷媒は、室外熱交換器７１２において凝縮され液状または気液二相状態の冷媒となる。その液状または気液二相状態の冷媒は、液側閉鎖弁７３１、液冷媒連絡配管７９８、および利用ライン７５ｃを通じて、蓄熱用熱交換器７４１に送られる。
【０１４０】
そして、蓄熱用熱交換器７４１に送られた液状または気液二相状態の冷媒は、蓄熱用熱交換器７４１において、蓄熱用水に蓄積された冷熱により凝縮されて液冷媒となるか又はさらに冷却される。その液冷媒は、蓄熱用膨張弁ＥＶ２を通過した後、第２液ライン７６ｂおよび接続ユニット７９ｄの液接続管７９１ｄを通じて液冷媒連絡配管７９１に送られる。
【０１４１】
そして、液冷媒連絡配管７９１に送られた液冷媒は、３つに分岐されて、各接続ユニット７９ａ，７９ｂ，７９ｃの液接続管７９１ａ，７９１ｂ，７９１ｃに送られる。そして、接続ユニット７９ａ，７９ｂ，７９ｃの液接続管７９１ａ，７９１ｂ，７９１ｃに送られた冷媒は、室内ユニット７７ａ，７７ｂ，７７ｃの室内側膨張弁ＥＶ１ａ，Ｅｖ１ｂ，ＥＶ１ｃに送られる。
【０１４２】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器７７１ａ，７７１ｂ，７７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂ，７９ｃの合流ガス接続管７９４ａ，７９４ｂ，７９４ｃに送られる。
【０１４３】
そして、合流ガス接続管７９４ａ，７９４ｂ，７９４ｃに送られた低圧のガス冷媒は、低圧ガス開閉弁ＳＶ２ａ，ＳＶ２ｂ，ＳＶ２ｃおよび低圧ガス接続管７９２ａ，７９２ｂ，７９２ｃを通じて、低圧ガス冷媒連絡配管７９２に送られて合流する。
そして、低圧ガス冷媒連絡配管７９２に送られて合流した低圧のガス冷媒は、低圧ガス側閉鎖弁７３２および気液分離器７１４を経由して、圧縮機７１１の吸入側に戻される。このようにして、第２氷蓄熱利用運転が行われる。
【０１４４】
［空気調和装置の特徴］
（１）
第２実施形態に係る空気調和装置７では、接続ユニット７９ｄの高圧ガス開閉弁ＳＶ１ｄを開けた状態にし、かつ、低圧ガス開閉弁ＳＶ２ｄを閉止する状態にすることによって蓄熱材に温熱を蓄積することができる。そして、この空気調和装置７では、ほとんど又は全部の室内ユニット７７ａ，７７ｂ，７７ｃが暖房状態にある状況（つまり、室外熱交換器７１２に高い凝縮負荷がかかる状況）において、接続ユニット７９ｄの高圧ガス開閉弁ＳＶ１ｄが閉止された状態に、低圧ガス開閉弁ＳＶ２ｄが開けた状態にされると、蓄熱用熱交換器７４１が蓄熱材に蓄積された温熱を利用して室外熱交換器７１２を凝縮負荷にする程度まで液冷媒連絡配管７９１に流れる液冷媒を蒸発させることができる。このため、この空気調和装置７では、室内ユニット７７ａ，７７ｂ，７７ｃを暖房状態に維持したままで、室外熱交換器７１２に堆積した霜を除去することができる。したがって、この空気調和装置７では、空調空間の快適性を損なうことなく室外熱交換器７１２に堆積した霜を除去することができる。
【０１４５】
（２）
第２実施形態に係る氷氷蓄熱ユニット７４では、蓄熱用熱交換器７４１が接続ユニット７９ｄと接続可能である。このため、この氷蓄熱ユニット７４は、本実施の形態に係る空気調和装置７に容易に挿入することができる。
（３）
第２実施形態に係る氷蓄熱ユニット７４は、本実施の形態に係る空気調和装置７に挿入された状態において、接続ユニット７９ｄの高圧ガス開閉弁ＳＶ１ｄが開けた状態にされ、かつ、低圧ガス開閉弁ＳＶ２ｄが閉止する状態にされると、蓄熱材に温熱を蓄積する。そして、ほとんど又は全部の室内ユニット７７ａ，７７ｂ，７７ｃが暖房状態にある状況（つまり、室外熱交換器７１２に高い凝縮負荷がかかる状況）において、接続ユニット７９ｄの高圧ガス開閉弁ＳＶ１ｄが閉止された状態に、低圧ガス開閉弁ＳＶ２ｄが開けた状態にされると、蓄熱用熱交換器７４１が蓄熱材に蓄積された温熱を利用して室外熱交換器７１２を凝縮負荷にする程度まで液冷媒連絡配管７９１に流れる液冷媒を蒸発させることができる。このため、この氷蓄熱ユニット７４は、本実施の形態に係る空気調和装置７に対して、室内ユニット７７ａ，７７ｂ，７７ｃを暖房状態に維持したままで、室外熱交換器７１２に堆積した霜を除去する機能を付与することができる。
【０１４６】
（４）
第２実施形態に係る空気調和装置７では、蓄熱ユニットとして氷蓄熱ユニット７４が採用されており、氷蓄熱運転、第１氷蓄熱利用冷房運転（電力ピークカット運転）、および第２氷蓄熱利用冷房運転（電力ピークシフト運転）を行うことができる。このため、この空気調和装置７では、夏季など、冷房運転が必要となる環境において、電力ピークを調節することができる。
【０１４７】
［変形例］
（Ａ）
第２実施形態に係る空気調和装置７では、氷蓄熱ユニット７４が１台しか設けられなかったが、氷蓄熱ユニット７４は、複数台設けられてもかまわない。
（Ｂ）
第２実施形態に係る空気調和装置７の蓄熱冷媒回路７５に配置される第３開閉機構ＯＣ３は、双方向電磁弁に置換されてもかまわない。
【０１４８】
（Ｃ）
第２実施形態に係る空気調和装置７に代えて、図３に示されるような空気調和装置７Ａを採用しても本発明の作用効果と同様の作用効果を得ることができる。
第２実施形態に係る空気調和装置７では、冷媒回路７０を構成する蓄熱冷媒回路７５において液ライン７５ａに第３開閉機構ＯＣ３が配置され、利用ライン７５ｃにおいて第４開閉機構ＯＣ４が配置された。これに対し、本変形例に係る空気調和装置７Ａでは、液ライン７５Ａａと利用ライン７５ｃとの接続点に四路切換弁７４３およびキャピラリーチューブ７４４が配置される。なお、この四路切換弁７４３およびキャピラリーチューブ７４４は、氷蓄熱ユニット７４Ａに属することとなる。また、この冷媒回路７０Ａにおいて、四路切換弁７４３は、氷蓄熱ユニット非利用運転時、氷蓄熱運転時、第１氷蓄熱利用冷房運転時、温蓄熱運転時、およびデフロスト運転時には図３の破線で示される状態にされ、第２氷蓄熱利用冷房運転時には図３の実線で示される状態にされる。
【産業上の利用可能性】
【０１４９】
本発明に係る空気調和装置は、空調空間の快適性を損なうことなく室外熱交換器に堆積した霜を除去することができるという特徴を有し、冬季などにおいて気温が氷点下となるような寒冷地向けの空気調和装置として有用である。
【図面の簡単な説明】
【０１５０】
【図１】本発明の第１実施形態に係る空気調和装置の概略冷媒回路。
【図２】本発明の第２実施形態に係る空気調和装置の概略冷媒回路。
【図３】第２実施形態の変形例（Ｃ）に係る空気調和装置の概略冷媒回路。
【符号の説明】
【０１５１】
６，７      空気調和装置
６０，７０      冷媒回路
６４      蓄熱ユニット
７４      氷蓄熱ユニット（蓄熱ユニット）
６９ａ，６９ｂ，６９ｃ，７９ａ，７９ｂ，７９ｃ      接続ユニット（切換ユニット）
６１１，７１１      圧縮機
６１２，７１２      室外熱交換器
６４１，７４１      蓄熱用熱交換器
６７１ａ，６７１ｂ，６７１ｃ，７７１ａ，７７１ｂ，７７１ｃ      室内熱交換器
６９１，７９１      液冷媒連絡配管（液側冷媒主管）
６９２，７９２      低圧ガス冷媒連絡配管（低圧ガス側冷媒主管）
６９３，７９３      高圧ガス冷媒連絡配管（高圧ガス側冷媒主管）
７４３      四路切換弁（第４切換機構）
ＥＶ２      蓄熱用膨張弁（膨張機構）
ＯＣ３      第３開閉機構（第４切換機構）
ＯＣ４      第４開閉機構（第４切換機構）
ＳＶ１ａ，ＳＶ１ｂ，ＳＶ１ｃ      高圧ガス開閉弁（第１切換機構）
ＳＶ２ａ，ＳＶ２ｂ，ＳＶ２ｃ      低圧ガス開閉弁（第１切換機構）
ＳＶ１ｄ      高圧ガス開閉弁（第２切換機構）
ＳＶ２ｄ      低圧ガス開閉弁（第２切換機構）
【図１】
2005337659.tif 000003
【図２】
2005337659.tif 000004
【図３】
2005337659.tif 000005